(57)【特許請求の範囲】
【請求項１】
画像を形成する画像形成装置を有し、観察者によって視認可能に前記画像を表示する表示部と、
前記表示部を保持し、少なくとも一部が外部に露出する保持部材と、
前記保持部材に接続されるシート状の熱伝導部材と、
前記保持部材に設けられる断熱部材と、を備え、
前記保持部材は、
前記画像形成装置が収容される収容体と、
前記収容体を支持し、前記熱伝導部材を介して前記画像形成装置の熱が伝導されるフレームと、を有し、
前記フレームの少なくとも一部は、外部に露出し、
前記熱伝導部材は、前記収容体内にて前記画像形成装置と前記フレームの一部とに熱伝導可能に接続され、前記画像形成装置の熱を前記保持部材に伝導し、
前記熱伝導部材及び前記フレームを含んで構成され、前記画像形成装置の熱を前記収容体外に伝導する熱伝導経路が設けられ、
前記断熱部材は、前記画像形成装置、及び、前記保持部材における前記熱伝導部材との接触部位と、前記観察者との間に設けられていることを特徴とする画像表示装置。
【請求項２】
請求項１に記載の画像表示装置において、
前記断熱部材は、前記収容体における前記観察者側の側面部の内面及び外面のうち少なくともいずれかに位置することを特徴とする画像表示装置。
【請求項３】
請求項２に記載の画像表示装置において、
前記断熱部材は、前記収容体における前記観察者側の側面部の内面と前記画像形成装置との間に配置されていることを特徴とする画像表示装置。
【請求項４】
請求項１に記載の画像表示装置において、
前記断熱部材は、前記収容体内に充填される断熱材により形成されていることを特徴とする画像表示装置。
【請求項５】
請求項２から請求項４のいずれか一項に記載の画像表示装置において、
前記断熱部材は、前記収容体内において前記画像形成装置を囲むように設けられていることを特徴とする画像表示装置。
【請求項６】
請求項１から請求項５のいずれか一項に記載の画像表示装置において、
前記収容体は、
前記観察者側に位置する第１収容部と、
前記観察者側とは反対側に位置し、前記第１収容部と組み合わされて前記収容体を構成する第２収容部と、を有し、
前記第２収容部は、前記フレームと一体化されていることを特徴とする画像表示装置。
【請求項７】
請求項１から請求項６のいずれか一項に記載の画像表示装置において、
前記収容体は、前記観察者側とは反対側に位置する外側側面部を有し、
前記熱伝導部材は、前記外側側面部に前記画像形成装置の熱を伝導し、
前記熱伝導経路は、前記外側側面部を含んで構成されることを特徴とする画像表示装置。
【請求項８】
請求項７に記載の画像表示装置において、
前記外側側面部の熱伝導率は、前記収容体における前記観察者側の部位の熱伝導率より高いことを特徴とする画像表示装置。
【請求項９】
請求項８に記載の画像表示装置において、
前記外側側面部の厚さ寸法は、前記収容体における前記観察者側の部位の厚さ寸法より小さいことを特徴とする画像表示装置。
【請求項１０】
請求項７から請求項９のいずれか一項に記載の画像表示装置において、
前記収容体内において前記画像形成装置に対する前記観察者側に配置され、前記画像形成装置から出射された前記画像を反射させる反射部材を有し、
前記画像形成装置は、前記外側側面部の内面と、前記熱伝導部材を介して接続されていることを特徴とする画像表示装置。
【請求項１１】
請求項１から請求項１０のいずれか一項に記載の画像表示装置において、
前記画像形成装置は、
光源装置と、
前記光源装置から出射される光を変調する光変調装置と、を備え、
前記光源装置及び前記光変調装置は、一体化されていることを特徴とする画像表示装置。
【請求項１２】
請求項１から請求項１１のいずれか一項に記載の画像表示装置において、
前記熱伝導部材は、前記画像形成装置から出射された光の光路を遮らない位置に配置されていることを特徴とする画像表示装置。
【請求項１３】
請求項１から請求項１２のいずれか一項に記載の画像表示装置において、
前記表示部は、前記画像形成装置により形成された前記画像を前記観察者の眼に入射させる導光部材を備えることを特徴とする画像表示装置。
【請求項１４】
請求項１から請求項１３のいずれか一項に記載の画像表示装置において、
前記観察者の頭部に沿う形状を有し、当該観察者の頭部に装着される装着部と、
前記装着部及び前記保持部材を接続する接続部と、を備え、
前記装着部は、前記保持部材から前記接続部を介して伝導される前記画像形成装置の熱を放熱する放熱部を有し、
前記放熱部は、前記装着部の前記観察者の頭部とは反対側に設けられていることを特徴とする画像表示装置。
【請求項１５】
画像を形成する画像形成装置を有し、観察者によって視認可能に前記画像を表示する表示部と、
前記表示部を保持し、少なくとも一部が外部に露出する保持部材と、
前記保持部材に接続され、前記観察者の頭部に沿う形状を有し、前記観察者の頭部に装着される装着部材と、
前記保持部材に接続されるシート状の熱伝導部材と、
前記保持部材に設けられる断熱部材と、を備え、
前記保持部材は、
前記画像形成装置が収容される収容体と、
前記収容体を支持し、前記熱伝導部材を介して前記画像形成装置の熱が伝導されるフレームと、を有し、
前記フレームの少なくとも一部は、外部に露出し、
前記熱伝導部材は、前記収容体内にて前記画像形成装置と前記フレームの一部とに熱伝導可能に接続され、前記画像形成装置の熱を前記保持部材に伝導し、
前記熱伝導部材及び前記フレームを含んで構成され、前記画像形成装置の熱を前記収容体外に伝導する熱伝導経路が設けられ、
前記断熱部材は、前記画像形成装置、及び、前記保持部材における前記熱伝導部材との接触部位と、前記観察者との間に設けられていることを特徴とする頭部装着型画像表示装置。
【発明の詳細な説明】
【技術分野】
【０００１】
本発明は、画像表示装置及び頭部装着型画像表示装置に関する。
【背景技術】
【０００２】
従来、画像を表示する画像表示装置として、観察者の頭部に装着されるＨＭＤ（Head Mounted Display）が知られている（例えば、特許文献１参照）。
この特許文献１に記載のＨＭＤは、観察者により虚像として視認可能に映像を表示する映像表示装置と、接眼光学系と、支持手段とを備える。これらのうち、接眼光学系は、映像表示装置から出射された映像光を観察者の眼に導くものであり、支持手段は、当該接眼光学系を観察者の眼前で支持するものであり、眼鏡のフレームに相当する。
【０００３】
また、上記映像表示装置は、ＬＥＤ（Light Emitting Diode）からなる光源と、吸熱部材と、ＦＰＣ（Flexible Printed Circuits）と、これらを内包する筐体と、を有する。
これらのうち、光源は、ＦＰＣのランド部分に半田付けにより固定されている。吸熱部材は、半田によって当該ＦＰＣにおける光源の実装面とは反対側の面に固定されている。そして、吸熱部材には、シールド線が接続され、当該シールド線が筐体外に露出している。これにより、光源で発生した熱が吸熱部材に吸熱され、シールド線を介して筐体の外部に導かれ、当該熱が放熱される。すなわち、特許文献１に記載のＨＭＤでは、シールド線が熱伝導部材として用いられている。
【先行技術文献】
【特許文献】
【０００４】
【特許文献１】特開２００８−９９２２２号公報
【発明の概要】
【発明が解決しようとする課題】
【０００５】
しかしながら、上記特許文献１に記載のＨＭＤでは、シールド線が吸熱部材により吸熱された熱を筐体外に伝導する。このため、吸熱部材に対するシールド部材の接触面積が小さくなりやすいことから、当該シールド部材の熱伝導効率が低く、光源からの熱を効率よく放熱できないという問題がある。また、当該ＨＭＤの構成では、シールド線の応力によって光源や液晶パネルがずれる可能性があり、ひいては、光源及び液晶パネルにより形成されて投射される画像がずれるという問題がある。
そして、上記のように、光源にて生じた熱を効率よく放熱できないと、当該熱が筐体において観察者側の側面に伝導される可能性が高くなる。このように、当該観察者側の側面の温度が高くなると、観察者が熱を感じ、装着感が低下するという問題がある。
【０００６】
本発明は、上記課題の少なくとも一部を解決することを目的としたものであり、画像形成装置からの熱を効率よく放熱でき、かつ、投射される画像のずれを抑制できる画像表示装置及び頭部装着型画像表示装置を提供することを目的の１つとする。また、本発明は、装着感を向上させることができる画像表示装置を提供することを目的の１つとする。
【課題を解決するための手段】
【０００７】
本発明の第１態様に係る画像表示装置は、観察者によって視認可能に画像を表示する表示部と、前記表示部を保持し、少なくとも一部が外部に露出する保持部材と、前記保持部材に接続されるシート状の熱伝導部材と、を備え、前記表示部は、前記画像を形成する画像形成装置を備え、前記熱伝導部材は、前記画像形成装置と熱伝導可能に接触し、前記画像形成装置の熱を前記保持部材に伝導することを特徴とする。
【０００８】
なお、上記観察者によって視認可能な画像は、当該観察者によって直視可能な実像でもよく、虚像でもよい。
上記第１態様によれば、熱伝導部材がシート状に形成されているので、シールド線によって構成される熱伝導部材が採用される場合に比べて、画像形成装置及び保持部材との接触面積を大きくすることができ、当該画像形成装置からの熱を保持部材に効率よく伝導できる。そして、画像形成装置の熱が伝導された保持部材は、一部が外部に露出しているので、伝導された熱を外部に露出した部分にて放熱できる。従って、画像形成装置を効果的に冷却できる。
また、シート状の熱伝導部材を採用することにより、シールド線によって構成される熱伝導部材が採用される場合に比べて、当該熱伝導部材の応力が画像形成装置に加わりづらくすることができる。従って、画像形成装置の位置がずれる可能性を低減でき、当該画像形成装置から出射される画像がずれることを抑制できる。
【０００９】
上記第１態様では、前記画像形成装置は、光源装置と、前記光源装置から出射される光を変調する光変調装置と、を備え、前記光源装置及び前記光変調装置は、一体化されていることが好ましい。
上記構成によれば、光源装置と光変調装置とが一体化されているので、これらのいずれかに熱伝導部材が接続されていても、それぞれで発生した熱を、上記保持部材に伝導できる。従って、光源装置及び光変調装置を効果的に冷却できる。
また、画像形成装置を構成する光源装置及び光変調装置が一体化されているので、光源装置及び光変調装置のいずれかに熱伝導部材が接続されている場合に比べ、当該熱伝導部材の接続先の重量を大きくすることができる。これによれば、仮に熱伝導部材の応力が画像形成装置に加わったとしても、画像形成装置の位置がずれる可能性を更に低減できる。これにより、画像形成装置から出射される画像がずれることを確実に抑制できる。
【００１０】
上記第１態様では、前記熱伝導部材は、前記画像形成装置から出射された光の光路を遮らない位置に配置されていることが好ましい。
なお、上記光の光路を遮らない位置としては、光源装置において光の出射側とは反対側の面や、光源装置及び光変調装置における当該光の進行方向に沿う側面を例示できる。
上記構成によれば、熱伝導部材が画像形成装置から出射された光の光路を遮らないことにより、形成される画像を確実に視認させることができる。この他、熱伝導部材を上記光の光路を遮らない位置の全面に接続できるので、画像形成装置と熱伝導部材との接触面積を拡大でき、これにより、画像形成装置の熱をより効率よく保持部材に伝導できる。従って、保持部材において外部に露出した部分から画像形成装置の熱をより効率よく放熱できる。
【００１１】
上記第１態様では、前記表示部は、前記画像形成装置により形成された前記画像を前記観察者の眼に入射させる導光部材を備え、前記保持部材は、少なくとも一部が外部に露出され、前記導光部材を前記観察者の眼に応じた位置に保持するフレームを備え、前記熱伝導部材は、前記フレームと熱伝導可能に接続されることが好ましい。
なお、フレームが配置される場所としては、観察者の頭部（前額部及び側頭部に応じた位置）を例示できる。
ここで、導光部材を保持するフレームは、外部に露出しやすい他、観察者の眼に応じて配置される導光部材を保持することから、外表面の面積が比較的大きい部材である。
このため、上記構成によれば、熱伝導部材を介して伝導された画像形成装置の熱を外表面の面積が比較的大きいフレームから放熱させることができる。これにより、画像形成装置の熱を更に効率よく放熱できる。
【００１２】
上記第１態様では、前記保持部材は、前記画像形成装置を内部に収容して、前記フレームの一部が内部に配置されるように、前記フレームと係合するカバー部材を備え、前記熱伝導部材は、前記カバー部材内にて、前記画像形成装置と前記フレームの一部とに熱伝導可能に接続されることが好ましい。
上記構成によれば、カバー部材内にて、熱伝導部材により画像形成装置とフレームとが接続されるので、当該熱伝導部材が外部に露出することがない。これによれば、熱伝導部材と画像形成装置及びフレームとの接触状態を確実に維持できる。従って、画像形成装置からフレームへの熱伝導を確実に行うことができる。また、カバー部材内に位置する熱伝導部材の移動が抑制されるので、画像形成装置の位置ずれを確実に抑制できる。
【００１３】
上記第１態様では、前記表示部は、前記画像形成装置により形成された前記画像を前記観察者の眼に入射させる導光部材を備え、前記保持部材は、前記導光部材を前記観察者の眼に応じた位置に保持するフレームと、前記フレームと係合し、前記画像形成装置を内部に収容するカバー部材と、を備え、前記熱伝導部材は、前記カバー部材における前記観察者とは反対側の部位に接続されることが好ましい。
【００１４】
なお、フレームの配置位置としては、上記と同様に、観察者の頭部（前額部及び側頭部）に応じた位置を例示できる。また、カバー部材の配置位置としては、観察者の頭部（側頭部におけるこめかみの部位）に応じた位置を例示できる。
上記構成によれば、熱伝導部材は、画像形成装置を内部に収容するカバー部材において、観察者側とは反対側の部位に接続される。これによれば、当該熱伝導部材を介して、画像形成装置の熱を、カバー部材における観察者とは反対側の部位に伝導されることができる。従って、画像形成装置の熱が、カバー部材における観察者側の部位に伝導されて、観察者が当該熱を感じることを抑制できる。
【００１５】
上記第１態様では、前記カバー部材における前記観察者とは反対側の部位の熱伝導率は、前記観察者側の部位の熱伝導率より高いことが好ましい。
上記構成によれば、カバー部材において、熱伝導部材が接続される観察者とは反対側の部位の熱伝導率は、観察者側の部位の熱伝導率より高い。これによれば、当該観察者側の部位に接続されて、画像形成装置の熱が伝導される場合に比べ、当該熱を伝導させやすくすることができ、ひいては、当該熱を放出させやすくすることができる。従って、画像形成装置を効果的に冷却できる。
また、観察者側の部位の熱伝導率が低いことにより、観察者が画像形成装置の熱を一層感じにくくすることができる。
【００１６】
上記第１態様では、前記カバー部材における前記観察者とは反対側の部位の厚さ寸法は、前記観察者側の部位の厚さ寸法より小さいことが好ましい。
上記構成によれば、カバー部材において観察者側の部位の厚さ寸法が、観察者とは反対側の部位の厚さ寸法より大きいので、上記熱伝導率と同様に、観察者が画像形成装置の熱を一層感じにくくすることができる。
また、カバー部材において観察者とは反対側の部位の厚さ寸法が、観察者側の部位の厚さ寸法より小さいので、当該観察者とは反対側の部位の熱抵抗を小さくすることができる。これにより、熱伝導部材を介して画像形成装置からの熱を当該部位に伝導させやすくすることができ、ひいては、当該画像形成装置の熱を外部に放出させやすくすることができる。従って、画像形成装置をより効果的に冷却できる。
【００１７】
上記第１態様では、前記観察者の頭部に沿う形状を有し、当該観察者の頭部に装着される装着部と、前記装着部及び前記保持部材を接続する接続部と、を備え、前記装着部は、前記保持部材から前記接続部を介して伝導される前記画像形成装置の熱を放熱する放熱部を有し、前記放熱部は、前記装着部の前記観察者の頭部とは反対側に設けられていることが好ましい。
【００１８】
なお、装着部の装着部位としては、観察者の頭部における前額部、側頭部、後頭部、及び頭頂部を例示できる他、観察者がヘルメットや帽子等を装着している場合には、当該ヘルメットや帽子等において上記前額部、側頭部、後頭部、及び頭頂部に応じた位置を例示できる。すなわち、観察者の頭部（詳しくは、眉及び耳を通る頭部の外周線より上側の部位）に応じた位置に装着部が固定されればよく、頭部と装着部との間にヘルメットや帽子等の構成が介在していてもよい。このように、装着部は、観察者の額部から上側の部位に固定される。
上記構成によれば、画像形成装置の熱が保持部材から接続部を介して装着部に伝導され、当該装着部の観察者の頭部とは反対側に設けられた放熱部材から上記熱を放熱できる。これによれば、画像形成装置の熱が、装着部における観察者側の部位に伝導されて、観察者が当該熱を感じることを抑制できる。また、例えば、観察者がヘルメット等を装着している場合には、観察者が当該熱を感じることを確実に抑制できる。
【００１９】
本発明の第２態様に係る頭部装着型画像表示装置は、観察者によって視認可能に画像を表示する表示部と、前記表示部を保持し、少なくとも一部が外部に露出する保持部材と、前記保持部材に接続され、前記観察者の頭部に沿う形状を有し、当該観察者の頭部に装着される装着部材と、前記保持部材に接続されるシート状の熱伝導部材と、を備え、前記表示部は、前記画像を形成する画像形成装置を備え、前記熱伝導部材は、前記画像形成装置と熱伝導可能に接触し、前記画像形成装置の熱を前記保持部材に伝導することを特徴とする。
上記第２態様によれば、上記第１態様に係る画像形成装置と同様の効果を奏することができる。
【００２０】
本発明の第３態様に係る画像表示装置は、観察者の頭部に装着される画像表示装置であって、当該画像表示装置を構成する発熱体と前記観察者との間に配置される断熱部材を有することを特徴とする。
上記第３態様によれば、断熱部材が、上記位置に配置されていることにより、発熱体の熱が、観察者側に伝導又は放出されることを抑制できる。このため、画像表示装置を装着した観察者が、当該発熱体の熱を感じることを抑制できる。従って、画像表示装置の装着感を向上させることができる。
【００２１】
上記第３態様では、前記発熱体が収容される収容体を有することが好ましい。
上記構成によれば、収容体が無い場合に比べて、発熱体の熱が放出される等して、観察者が当該熱を感じることを抑制できる。従って、画像表示装置の装着感を更に向上させることができる。
【００２２】
上記第３態様では、前記断熱部材は、前記収容体における前記観察者側の側面部に位置することが好ましい。
この場合、断熱部材は、上記側面部における外面に位置していてもよく、内面に位置していてもよい。
上記構成によれば、断熱部材を収容体内に容易に配置できる。従って、上記側面部に発熱体の熱を確実に伝導させづらくすることができ、画像表示装置の装着感を確実に向上させることができる。
【００２３】
上記第３態様では、前記断熱部材は、前記収容体における前記観察者側の側面部と前記発熱体との間に配置されていることが好ましい。
上記構成によれば、上記側面部の内面に断熱部材が接続されている場合には、当該断熱部材を収容体内に容易に配置できる。一方、断熱部材と当該側面部の内面との間に隙間や他の部材が介装されている場合には、当該断熱部材に伝導された発熱体の熱が、上記側面部に直接伝導されることを抑制できる。
【００２４】
上記第３態様では、前記断熱部材は、前記収容体内に充填される断熱材により形成されていることが好ましい。
このような断熱材としては、収容体内に充填可能な高発泡ポリエチレンフォーム等の発泡断熱材を例示できる。
上記構成によれば、収容体内に充填された断熱部材によって、発熱体と観察者側側面部との間に断熱部材を確実に位置させることができ、当該発熱体の熱を観察者側側面部に伝導させづらくすることができる。従って、画像表示装置の装着感をより確実に向上させることができる。
【００２５】
上記第３態様では、前記断熱部材は、前記収容体内において前記発熱体を囲むように設けられていることが好ましい。
このような断熱部材としては、可撓性を有するシート状の断熱材を例示できる。
上記構成によれば、断熱部材によって発熱体が囲まれることにより、上記収容体内に断熱部材が充填されている場合と同様に、発熱体と観察者側側面部との間に断熱部材を確実に位置させることができ、当該発熱体の熱を観察者側側面部に伝導させづらくすることができる。従って、画像表示装置の装着感をより確実に向上させることができる。
【００２６】
上記第３態様では、前記発熱体と接続され、当該発熱体の熱を前記収容体外に伝導する熱伝導経路を有することが好ましい。
上記構成によれば、上記熱伝導経路によって発熱体の熱が収容体外に伝導されることにより、収容体内の温度上昇を抑制できる。これによれば、当該発熱体の熱が観察者側側面部に伝導されることを抑制できるので、画像表示装置の装着感をより確実に向上させることができる。また、発熱体が熱に弱い特性を有する場合には、当該発熱体の熱を収容体外に伝導させることにより、当該発熱体の温度上昇を抑制でき、当該発熱体の劣化を抑制できる。
【００２７】
上記第３態様では、前記発熱体と接触して、前記発熱体の熱が伝導される熱伝導部材と、前記収容体を支持し、前記熱伝導部材を介して前記発熱体の熱が伝導されるフレームと、を有し、前記フレームの少なくとも一部は、外部に露出し、前記熱伝導経路は、前記熱伝導部材及び前記フレームを含んで構成されることが好ましい。
上記構成によれば、発熱体の熱は、少なくとも一部が外部に露出するフレームに熱伝導部材を介して伝導される。これにより、発熱体の熱を画像表示装置の外部に放熱できる。従って、発熱体の熱が観察者側側面部に伝導されることを確実に抑制できる他、当該発熱体の温度上昇を抑制でき、当該発熱体の劣化を確実に抑制できる。
【００２８】
上記第３態様では、前記収容体は、前記観察者側に位置する第１収容部と、前記観察者側とは反対側に位置し、前記第１収容部と組み合わされて当該収容体を構成する第２収容部と、を有し、前記第２収容部は、前記フレームと一体化されていることが好ましい。
上記構成によれば、例えば、発熱体の熱がフレーム及び第２収容部の一方に伝導されると、他方にも当該熱が伝導されるので、当該熱の放熱面積を拡大できる。また、収容体において、観察者側に位置する第１収容部と、観察者側とは反対側に位置する第２収容部とは、それぞれ別体として構成できる。このため、上記第１態様にて示したように、熱伝導率や厚さ寸法が互いに異なる第１収容部及び第２収容部を容易に構成できる。
【００２９】
上記第３態様では、前記発熱体と接触し、前記発熱体の熱が伝導される熱伝導部材を備え、前記収容体は、前記観察者側とは反対側に位置する外側側面部を有し、前記熱伝導部材は、前記外側側面部に前記発熱体の熱を伝導し、前記熱伝導経路は、前記熱伝導部材及び前記外側側面部を含んで構成されることが好ましい。
上記構成によれば、発熱体の熱は、観察者側とは反対側に位置する外側側面部に熱伝導部材を介して伝導される。これにより、発熱体の熱を画像表示装置の外部に放熱できるので、発熱体の劣化を抑制できる。この他、観察者側に位置する側面部に当該発熱体の熱を伝導させづらくすることができるので、画像表示装置の装着感を一層向上させることができる。
【００３０】
上記第３態様では、前記収容体内に配置され、前記観察者に視認される画像を形成する画像形成装置を有し、前記画像形成装置は、前記発熱体に含まれることが好ましい。
なお、画像形成装置としては、光源装置と、当該光源から出射された光を変調する光変調装置との組合せを例示できる他、有機ＥＬ（Electro-Luminescence）パネル等の自発光型表示パネルを例示できる。また、光変調装置としては、液晶パネルの他、Digital Mirror Device等のMEMS（Micro Electro Mechanical Systems）デバイスを例示できる。
ここで、画像表示装置を利用する場合、上記画像形成装置は比較的高い熱を生じる。これに対し、上記断熱部材によって、発熱体である画像形成装置にて生じた熱が、収容体において観察者側の側面部に伝導することが抑制されるので、上記のように、画像表示装置の装着感を向上させることができる。
また、画像形成装置は熱に弱い特性を有するので、画像表示装置が上記熱伝導経路を有する場合には、画像形成装置の熱を外部に放熱できるので、当該画像形成装置の温度上昇、ひいては、劣化を抑制できる。
【００３１】
上記第３態様では、前記収容体内において前記観察者側とは反対側に配置され、前記観察者に視認される画像を形成して出射する画像形成装置と、前記収容体内において前記観察者側に配置され、前記画像形成装置から出射された前記画像を反射させる反射部材と、を有し、前記画像形成装置は、前記発熱体に含まれることが好ましい。
なお、反射部材によって反射された画像は、観察者の眼に直接視認されてもよく、当該画像を形成する光（画像光）が導光部材によって観察者の眼に導光されることによって視認されてもよい。また、反射部材によって反射された画像は、レンズ等を介して、収容体外に出射されてもよい。
上記構成によれば、画像表示装置の利用時に比較的高い熱が生じる画像形成装置が、収容体内において反射部材に対して観察者側とは反対側に配置されることにより、画像形成装置と上記観察者側の側面部との間の寸法を大きくすることができる。この他、画像形成装置と当該側面部との間に位置する反射部材を、画像形成装置にて生じた熱の当該側面部への伝導を遮る障害物として利用できる。従って、画像形成装置の熱が当該側面部に伝導することを確実に抑制でき、画像表示装置の装着感を一層確実に向上させることができる。
【図面の簡単な説明】
【００３２】
【図１】本発明の第１実施形態に係る虚像表示装置を示す斜視図。
【図２】上記第１実施形態における虚像表示装置を示す斜視図。
【図３】上記第１実施形態における虚像表示装置を示す斜視図。
【図４】上記第１実施形態における虚像表示装置が備える表示部を拡大して示す斜視図。
【図５】上記第１実施形態における虚像表示装置の表示部が有する右側光学装置を示す断面図。
【図６】本発明の第２実施形態における虚像表示装置の表示部が有する右側光学装置を示す断面図。
【図７】上記第２実施形態に係る虚像表示装置の表示部を拡大して示す斜視図。
【図８】本発明の第３実施形態に係る虚像表示装置を示す斜視図。
【図９】本発明の第４実施形態に係る虚像表示装置を示す斜視図。
【図１０】本発明の第５実施形態に係る虚像表示装置が備える表示部の右側光学装置及びカバー部材を示す断面図。
【図１１】上記第５実施形態における断熱部材の他の配置例を示す図。
【図１２】本発明の第６実施形態に係る虚像表示装置が備える表示部の右側光学装置及びカバー部材を示す断面図。
【図１３】本発明の第７実施形態に係る虚像表示装置が備える表示部の右側光学装置及びカバー部材を示す断面図。
【図１４】本発明の第８実施形態に係る虚像表示装置が備えるヘッドバンド部を示す図。
【図１５】本発明の第９実施形態に係る虚像表示装置が備えるヘッドバンド部を示す図。
【図１６】上記第９実施形態におけるヘッドバンド部を示す断面図。
【図１７】本発明の第１０実施形態に係る虚像表示装置が備える表示部の右側光学装置、カバー部材及び撮像部を示す断面図。
【図１８】本発明の第１０実施形態に係る虚像表示装置を示す斜視図。
【発明を実施するための形態】
【００３３】
［第１実施形態］
以下、本発明の第１実施形態を、図面に基づいて説明する。
［虚像表示装置の概略構成］
図１は、本実施形態に係る虚像表示装置１が観察者ＵＳに装着された状態を示す斜視図である。
本実施形態に係る虚像表示装置１は、図１に示すように、観察者ＵＳの頭部やヘルメット等の装着部位（すなわち、頭部における前額部及び側頭部を結ぶ外周線以上の部位）に装着されて使用されるＨＭＤ（Head Mounted Display）である。この虚像表示装置１は、本発明の画像表示装置及び頭部装着型画像表示装置に相当し、観察者ＵＳによって視認可能に虚像を表示するとともに、外光を透過させて外界を観察可能とするシースルー型のＨＭＤである。
【００３４】
図２及び図３は、虚像表示装置１を正面側及び背面側から見た斜視図である。換言すると、図２は、虚像表示装置１を観察者ＵＳ側とは反対側から見た斜視図であり、図３は、観察者ＵＳ側から見た斜視図である。
この虚像表示装置１は、図１〜図３に示すように、上記装着部位に装着されるヘッドバンド部２と、画像を表示する表示部３と、ヘッドバンド部２に回動可能に取り付けられて、これらヘッドバンド部２及び表示部３を接続する一対のアーム部４（４Ｌ，４Ｒ）と、を備える。
【００３５】
なお、以下の説明において、Ｚ方向は、虚像表示装置１を装着した観察者ＵＳが正面を向いた場合の視方向であり、Ｘ方向及びＹ方向は、当該Ｚ方向に直交し、かつ、互いに直交する方向である。これらのうち、Ｘ方向は、虚像表示装置１を装着した観察者ＵＳから見て左から右に向かう方向であり、Ｙ方向は、当該観察者ＵＳから見て下から上に向う方向である。更に、Ｚ方向側とは、Ｚ方向における下流側（Ｚ方向先端側）を指し、Ｚ方向とは反対側とは、Ｚ方向における上流側（Ｚ方向基端側）を指す。他の方向も同様である。
また、本実施形態では、ヘッドバンド部２は、観察者ＵＳの頭部に装着されるものとして説明する。すなわち、虚像表示装置１の装着部位は、本実施形態では観察者ＵＳの頭部であり、詳しくは、前額部及び側頭部を含む頭部の上部分である。しかしながら、上記のように、ヘッドバンド部２は、観察者ＵＳの頭部に装着されたヘルメットや帽子にも装着可能である。
【００３６】
［ヘッドバンド部の構成］
ヘッドバンド部２は、図２及び図３に示すように、外装を構成する外装ケース２１と、撮像部２２と、制御部２３と、装着部材２４と、回動軸部２５とを有する。このヘッドバンド部２は、本発明の装着部に相当する。
これらのうち、装着部材２４は、外装ケース２１に取り付けられるバンド２４１と、装着部位に当接される当接部材２４２と、バンド２４１に固定される帯部材２４３とを有する。
【００３７】
外装ケース２１は、図２及び図３に示すように、虚像表示装置１の装着部位に含まれる観察者ＵＳの前額部及び側頭部に沿って配置され、装着部材２４によって当該装着部位に固定される。この外装ケース２１は、上記制御部２３や当該制御部２３に接続されるケーブルＣＢ１，ＣＢ２等を内部に収容し、かつ、撮像部２２やアーム部４（４Ｌ，４Ｒ）を支持する筐体である。
この外装ケース２１は、観察者ＵＳの前額部及び側頭部の形状に沿う略半円形状（略Ｕ字状）の外形を有する。すなわち、外装ケース２１において、観察者ＵＳの前額部及び側頭部に対向する内側側面部２１１は、Ｙ方向側から見て、観察者ＵＳの頭部に沿って湾曲している。
このような外装ケース２１の円弧状の両端近傍には、それぞれのアーム部４の一端が回動軸部２５によって回動可能に支持されている。これにより、ヘッドバンド部２との接続部位を中心としてアーム部４Ｌ，４Ｒが回動可能となる。
【００３８】
撮像部２２は、図２に示すように、外装ケース２１において上記内側側面部２１１とは反対側に位置する外側側面部２１２のＸ方向における略中央に配置されており、観察者ＵＳの前方、すなわち、当該観察者ＵＳの視野における一部の領域を撮像する。この撮像部２２は、Ｘ方向に沿う回動軸を中心として外装ケース２１に対して回動可能に取り付けられ、撮像方向を変更可能に構成されている。
制御部２３は、処理回路が実装された回路基板として構成されており、図２に示すように、撮像部２２を制御するとともに、当該撮像部２２による撮像画像を、ケーブルＣＢ１を介して外部に出力する。また、制御部２３は、ケーブルＣＢ１を介して画像情報を受信し、ケーブルＣＢ２を介して表示部３に出力することにより、当該表示部３を制御する。
なお、ヘッドバンド部２は、図示を省略するが、観察者ＵＳによる各種入力操作を受け付けるコントローラーが接続されており、当該コントローラーから、ケーブルＣＢ１を介して制御部２３に、操作情報及び画像情報が送信される。
【００３９】
［アーム部の構成］
一対のアーム部４（観察者ＵＳにおいて左側に位置するアーム部を４Ｌとし、右側に位置するアーム部を４Ｒとする）は、図２及び図３に示したように、ヘッドバンド部２の外装ケース２１と、表示部３の各カバー部材３４Ｌ，３４Ｒとを接続するとともに、当該外装ケース２１に対して回動可能に支持されている。これらアーム部４Ｌ，４Ｒは、本発明の接続部に相当し、表示部３において対応するカバー部材３４Ｌ，３４Ｒと接続されている。
なお、虚像表示装置１は、図示を省略するが、アーム部４に対して表示部３を相対的に移動させて、当該表示部３をヘッドバンド部２に対して接離可能とする移動機構を備えている。この移動機構は、例えば、表示部３に設けられたスライド部材と、アーム部４に設けられ当該スライド部材を把持する把持部材とを備える。そして、把持部材によって把持された状態でスライド部材を摺動させて、各アーム部４に対して表示部３を移動させることにより、ヘッドバンド部２と表示部３との距離を調整できる。
【００４０】
［表示部の構成］
表示部３は、制御部２３から入力される画像情報に応じた画像を形成して、当該画像を虚像として観察者ＵＳに視認させる。この表示部３は、図２及び図３に示すように、観察者ＵＳにとっての右側及び左側に配置される一対の光学装置３１（３１Ｌ，３１Ｒ）と、一対の光学装置３１（３１Ｌ，３１Ｒ）を保持する保持部材３２と、熱伝導部材５（図５参照）と、を備える。なお、左側光学装置３１Ｌと、右側光学装置３１Ｒとは、互いに鏡面対称の関係を有する。
【００４１】
［光学装置の構成］
図４は、保持部材３２を構成するカバー部材３４の一部を除き、右側光学装置３１Ｒの内部を示す図であり、図５は、右側光学装置３１ＲのＹＺ平面に沿う断面をＸ方向側から見た図である。
一対の光学装置３１のうち、右側光学装置３１Ｒは、図４及び図５に示すように、画像形成装置３１１、投射レンズ３１２及び導光部材３１３（図３参照）を有する。
【００４２】
画像形成装置３１１は、光源装置３１１１と、光変調装置３１１２と、固定部材３１１３と、を有する。
光源装置３１１１は、ＬＥＤが実装された基板を有し、右側光学装置３１Ｒの構成において最もＺ方向とは反対側に配置される。
光変調装置３１１２は、光源装置３１１１に対してＺ方向側に配置され、当該光源装置３１１１から入射される光を変調して、上記画像情報に応じた画像を形成する。この光変調装置３１１２は、本実施形態では透過型の液晶パネルにより構成される。
固定部材３１１３は、光源装置３１１１と光変調装置３１１２とを一体化する。この固定部材３１１３は、熱伝導性を有する金属により形成されている。このため、光変調装置３１１２の熱は、固定部材３１１３に伝導される。
【００４３】
投射レンズ３１２は、光変調装置３１１２に対するＺ方向側に配置され、当該光変調装置３１１２によって変調された光（画像光）を、導光部材３１３に投射する投射光学装置である。この投射レンズ３１２は、図示を省略するが、複数のレンズと、当該複数のレンズを収容する鏡筒とを有する。なお、このような投射レンズ３１２に代えて、画像形成装置３１１から入射される画像光を導光部材３１３に導くプリズムを採用してもよい。
【００４４】
導光部材３１３（３１３Ｒ）は、観察者ＵＳの眼に応じた位置に配置され、投射レンズ３１２により投射された画像光が入射される。この導光部材３１３は、内部に半透過層（半反射層）が形成されており、当該半透過層を介して外界を観察可能に構成されている他、上記投射レンズ３１２から入射されて当該半透過層にて反射された画像光が眼に入射されることにより、当該画像光に応じた虚像が視認される。このような導光部材３１３は、可視光領域で高い光透過性を示す樹脂（例えばシクロオレフィンポリマー）により主に形成される。
なお、図示を省略するが、左側光学装置３１Ｌも右側光学装置３１Ｒと同様に、Ｚ方向に沿ってそれぞれ配置される画像形成装置３１１、投射レンズ３１２及び導光部材３１３（３１３Ｌ）を有する。
【００４５】
［保持部材の構成］
保持部材３２は、上記一対の光学装置３１（３１Ｌ，３１Ｒ）を保持し、上記各アーム部４と接続される。この保持部材３２は、図２に示すように、フレーム３３及びカバー部材３４（３４Ｌ，３４Ｒ）を備える。
フレーム３３は、各導光部材３１３（３１３Ｌ，３１３Ｒ）におけるＹ方向側の端部を保持する。このフレーム３３は、Ｙ方向側から見て観察者ＵＳの頭部（前額部及び側頭部）に沿う略Ｕ字状に形成され、当該頭部に応じた位置に配置されることにより、当該フレーム３３により保持された各導光部材３１３が観察者ＵＳの眼に応じた位置に配置される。本実施形態では、フレーム３３は、アルミダイカスト若しくはその他の各種金属によって形成されており、熱伝導性を有する。
【００４６】
このようなフレーム３３は、導光部材３１３を保持する中央部３３１と、当該中央部３３１の両端から観察者側（Ｚ方向とは反対側）に延びる端部３３２（３３２Ｌ，３３２Ｒ）と、を有する。
中央部３３１におけるＹ方向側の面である上面３３１１は、外部に露出している他、当該上面３３１１には、凹凸が形成されている。具体的に、上面３３１１におけるＸ方向側及びＸ方向とは反対側の部位には、それぞれ凹部３３１２が形成されており、これにより、表面積が拡大されている。
【００４７】
フレーム３３において右側の端部３３２Ｒには、図４に示すように、当該端部３３２Ｒの上面３３２１よりＹ方向とは反対側の位置からＺ方向とは反対側に更に突出する突出部３３３が設けられている。このような端部３３２Ｒは、上面３３２１のみが外部に露出する状態で、後述するカバー部材３４Ｒ内に配置され、突出部３３３は、当該カバー部材３４Ｒ内に配置される。
なお、突出部３３３において、Ｙ方向側に位置し、平面状に形成された上面３３３１には、後述する熱伝導部材５が接続される。
また、図示を省略するが、左側の端部３３２Ｌにも、上記突出部３３３と同様の突出部が設けられている。そして、端部３３２Ｌは、当該端部３３２Ｌにおける上面のみが外部に露出する状態で、後述するカバー部材３４Ｌ内に配置され、当該端部３３２Ｌの突出部は、当該カバー部材３４Ｒ内に配置される。
【００４８】
カバー部材３４（３４Ｌ，３４Ｒ）は、それぞれ、合成樹脂により形成されている。これらのうち、カバー部材３４Ｒは、上記右側光学装置３１Ｒをそれぞれ構成する画像形成装置３１１及び投射レンズ３１２と、熱伝導部材５と、上記端部３３２Ｒの突出部３３３と、を内部に収容する。また、カバー部材３４Ｌは、上記左側光学装置３１Ｌをそれぞれ構成する画像形成装置３１１及び投射レンズ３１２と、熱伝導部材５と、上記端部３３２Ｌの突出部と、を内部に収容する。これらカバー部材３４Ｌ，３４Ｒのそれぞれは、フレーム３３に固定されることにより、観察者ＵＳの頭部（側頭部におけるこめかみの部位）に応じた位置に配置される。
これらカバー部材３４Ｌ，３４Ｒは、それぞれ図３に示すように、観察者側に配置される観察者側側面部を構成する第１カバー部材３４１と、観察者とは反対側に配置される外側側面部を構成する第２カバー部材３４２と、を有する。そして、これら第１カバー部材３４１及び第２カバー部材３４２が、対応する光学装置３１Ｌ，３１Ｒを挟むようにして組み合わされて、各カバー部材３４Ｌ，３４Ｒは構成される。
【００４９】
［熱伝導部材の構成］
熱伝導部材５は、カバー部材３４Ｌ，３４Ｒ内にそれぞれ設けられ、各光学装置３１Ｌ，３１Ｒを構成する画像形成装置３１１の熱をフレーム３３に伝導するものであり、本実施形態では、可撓性を有する矩形状のグラファイトシートにより構成されている。
これら熱伝導部材５のうち、カバー部材３４Ｒ内に設けられる熱伝導部材５は、図４及び図５に示すように、画像形成装置３１１と上記端部３３２Ｒの突出部３３３とを熱伝導可能に接続する。詳述すると、熱伝導部材５の一端は、画像形成装置３１１の光源装置３１１１におけるＺ方向とは反対側の面ＳＦ及び固定部材３１１３に接続されている。また、熱伝導部材５の他端は、当該突出部３３３における上記上面３３３１に接続されている。このように、熱伝導部材５は、画像形成装置３１１から出射される光（画像光）の光路を遮らない位置に設けられている。
【００５０】
より詳述すると、熱伝導部材５は、画像形成装置３１１と熱伝導可能に面接触し、上記上面３３３１と熱伝導可能に面接触している。これにより、画像形成装置３１１（光源装置３１１１及び光変調装置３１１２）の熱が、熱伝導部材５を介して、フレーム３３に伝導される。すなわち、光源装置３１１１の熱は、熱伝導部材５に直接伝導され、更に、光変調装置３１１２の熱は、固定部材３１１３を介して熱伝導部材５に伝導される。そして、当該熱伝導部材５に伝導された熱は、突出部３３３を介してフレーム３３に伝導され、上記上面３３１１にて放熱される。
なお、図示を省略するが、カバー部材３４Ｌ内に設けられる熱伝導部材５についても、上記と同様に、一端が左側光学装置３１Ｌを構成する画像形成装置３１１と熱伝導可能に接続され、他端が上記端部３３２Ｌの突出部と熱伝導可能に接続される。そして、当該画像形成装置３１１にて生じた熱は、熱伝導部材５を介して当該突出部に伝導され、フレーム３３（詳しくは上面３３１１）にて放熱される。
【００５１】
［第１実施形態の効果］
以上、説明した本実施形態に係る虚像表示装置１によれば、以下の効果を奏する。
熱伝導部材５がシート状に形成されているので、シールド線によって構成される熱伝導部材が採用される場合に比べて、画像形成装置３１１及びフレーム３３との接触面積を大きくすることができ、当該画像形成装置３１１からの熱をフレーム３３に効率よく伝導できる。そして、画像形成装置３１１の熱が伝導されたフレーム３３は、一部が外部に露出しているので、伝導された熱を外部に露出した部分にて放熱できる。従って、画像形成装置３１１を効果的に冷却できる。
また、シート状の熱伝導部材５を採用することにより、シールド線によって構成される熱伝導部材が採用される場合に比べて、当該熱伝導部材５の応力が画像形成装置３１１に加わりづらくすることができる。従って、画像形成装置３１１の位置がずれる可能性を低減でき、当該画像形成装置３１１から出射される画像がずれることを抑制できる。
【００５２】
光源装置３１１１と光変調装置３１１２とが固定部材３１１３により一体化されているので、これらのいずれかに熱伝導部材５が接続されていても、それぞれで発生した熱をフレーム３３に伝導できる。従って、光源装置３１１１及び光変調装置３１１２を効果的に冷却できる。
また、画像形成装置３１１を構成する光源装置３１１１及び光変調装置３１１２が固定部材３１１３により一体化されているので、光源装置３１１１及び光変調装置３１１２のいずれかに熱伝導部材５が接続されている場合に比べ、当該熱伝導部材の接続先の重量を大きくすることができる。これによれば、仮に熱伝導部材５の応力が画像形成装置３１１に加わったとしても、光源装置３１１１及び光変調装置３１１２の位置がずれる可能性を更に低減できる。これにより画像形成装置３１１から出射される画像がずれることを確実に抑制できる。
【００５３】
熱伝導部材５が画像形成装置３１１から出射された光の光路を遮らないことにより、形成される画像を確実に視認させることができる。この他、熱伝導部材５を上記光の光路を遮らない位置の全面に接続できるので、画像形成装置３１１と熱伝導部材５との接触面積を拡大でき、これにより、画像形成装置３１１の熱をより効率よくフレーム３３に伝導できる。従って、フレーム３３において外部に露出した中央部３３１から画像形成装置３１１の熱をより効率よく放熱できる。
【００５４】
導光部材３１３を保持するフレーム３３は、外部に露出しやすい他、観察者ＵＳの眼に応じて配置される導光部材３１３を保持することから、外表面の面積が比較的大きい部材である。このため、熱伝導部材５を介して伝導された画像形成装置３１１の熱を外表面の面積が比較的大きいフレーム３３から放熱させることができる。これにより、画像形成装置３１１の熱を更に効率よく放熱できる。
【００５５】
カバー部材３４内にて、熱伝導部材５により画像形成装置３１１とフレーム３３とが接続されるので、当該熱伝導部材５が外部に露出することがない。これによれば、熱伝導部材５と画像形成装置３１１及びフレーム３３との接触状態を確実に維持できる。従って、画像形成装置３１１からフレーム３３への熱伝導を確実に行うことができ、当該画像形成装置３１１の熱を確実に外部に放熱できる。また、カバー部材３４内に位置する熱伝導部材５の移動が抑制されるので、画像形成装置３１１の位置ずれを確実に抑制できる。
【００５６】
［第２実施形態］
次に、本発明の第２実施形態について説明する。
本実施形態に係る虚像表示装置は、上記虚像表示装置１と同様の構成を備えるが、熱伝導部材５の接続先が異なる。すなわち、第１実施形態では、熱伝導部材５はフレーム３３に接続されることとしたが、本実施形態では、熱伝導部材５はカバー部材に接続される。また、カバー部材の形状及び材質も上記カバー部材３４と異なる。これらの点で、本実施形態に係る虚像表示装置と、上記虚像表示装置１とは相違する。なお、以下の説明では、既に説明した部分と同一又は略同一である部分については、同一の符号を付して説明を省略する。
【００５７】
図６は、本発明の第２実施形態に係る虚像表示装置１Ａが備える表示部３Ａの右側光学装置３１ＲのＸＺ平面における断面をＹ方向側から見た図である。
本実施形態に係る虚像表示装置１Ａは、表示部３に代えて表示部３Ａを有する他は、上記虚像表示装置１と同様の構成及び機能を有する。また、表示部３Ａは、図６に示すように、カバー部材３４に代えてカバー部材３５を有し、熱伝導部材５の接続先が異なる他は、上記表示部３と同様の構成及び機能を有する。
カバー部材３５は、フレーム３３とともに本発明の保持部材を構成し、第１カバー部材３５１及び第２カバー部材３５２を有する。
【００５８】
第１カバー部材３５１は、観察者ＵＳ側に位置し、合成樹脂により構成されている。一方、第２カバー部材３５２は、観察者ＵＳとは反対側に位置し、第１カバー部材３５１より熱伝導率が高い合成樹脂（例えば、フィラー材等）により構成されている。すなわち、観察者ＵＳ側に位置する第１カバー部材３５１の熱伝導率は、観察者ＵＳとは反対側に位置する第２カバー部材３５２の熱伝導率より低い。
また、第１カバー部材３５１において観察者ＵＳと対向する側部３５１１（観察者ＵＳ側の側部３５１１）の厚さ寸法（Ｘ方向に沿う寸法）は、第２カバー部材３５２において観察者ＵＳとは反対側の側部３５２１の厚さ寸法より大きく設定されている。これにより、例えば、第１カバー部材３５１及び第２カバー部材３５２のそれぞれに同量の熱が伝導されたとしても、観察者ＵＳ側に位置する第１カバー部材３５１の観察者ＵＳ側の面の温度上昇は、第２カバー部材３５２の観察者ＵＳとは反対側の面の温度上昇に比べて小さくなる。
【００５９】
熱伝導部材５は、画像形成装置３１１の熱を上記第２カバー部材３５２に伝導する。具体的に、熱伝導部材５は、図６に示すように、カバー部材３５内において、画像形成装置３１１（光源装置３１１１及び固定部材３１１３）と、第２カバー部材３５２の内面とに、熱伝導可能に接続される。
【００６０】
図７は、右側光学装置３１Ｒの画像形成装置３１１と接続される熱伝導部材５を示す斜視図である。なお、図７においては、説明の都合上、カバー部材３５の図示を省略する。
詳述すると、熱伝導部材５は、図６及び図７に示すように、カバー部材３５内にて略Ｌ字状に折り曲げられて配置される。そして、熱伝導部材５の一端は、画像形成装置３１１の光源装置３１１１におけるＺ方向とは反対側の面ＳＦに面接触されている。更に、熱伝導部材５は、固定部材３１１３の側面（観察者ＵＳ側とは反対側の側面であり、Ｘ方向側の側面）にも接続されている。一方、熱伝導部材５の他端は、第２カバー部材３５２の側部３５２１における観察者ＵＳ側の面（内面）に面接触されている。すなわち、熱伝導部材５は、当該固定部材３１１３の側面との接触部位における反対側の部位にて、上記第２カバー部材３５２の内面に接続される。このように、熱伝導部材５は、本実施形態においても画像形成装置３１１から出射される光（画像光）の光路を遮らない位置に接続されている。
【００６１】
これにより、右側光学装置３１Ｒの画像形成装置３１１（光源装置３１１１及び光変調装置３１１２）の熱が熱伝導部材５を介して、第２カバー部材３５２に効率よく伝導される。すなわち、光源装置３１１１の熱は、熱伝導部材５に直接伝導され、更に、光変調装置３１１２の熱は、固定部材３１１３を介して熱伝導部材５に伝導される。そして、当該熱伝導部材５に伝導された熱は、第２カバー部材３５２に伝導され、当該第２カバー部材３５２における観察者ＵＳ側とは反対側の面にて外部に放熱される。
【００６２】
なお、図示を省略するが、表示部３Ａを構成する左側光学装置３１Ｌの画像形成装置３１１と接続される熱伝導部材５も、上記と同様に、当該画像形成装置３１１を内部に収容するカバー部材３５内において、当該画像形成装置３１１と、観察者ＵＳとは反対側に位置する第２カバー部材３５２の内面とに、熱伝導可能に接続される。これにより、画像形成装置３１１の熱は、熱伝導部材５を介して第２カバー部材３５２に伝導され、当該第２カバー部材３５２における観察者ＵＳとは反対側の面（外面）にて外部に放熱される。
なお、熱伝導部材５において画像形成装置３１１側とは反対側の領域は、第２カバー部材３５２だけでなく、フレーム３３に接続されていてもよい。このような場合には、画像形成装置３１１の熱が伝導される熱伝導経路を増やすことができる。
【００６３】
［第２実施形態の効果］
以上、説明した本実施形態に係る虚像表示装置１Ａによれば、第１実施形態における虚像表示装置１と同様の効果を奏する他、以下の効果を奏する。
一端が画像形成装置３１１と接続される熱伝導部材５の他端は、当該画像形成装置３１１及び投射レンズ３１２を内部に収容するカバー部材３５において、観察者ＵＳ側とは反対側の部位を構成する第２カバー部材３５２に接続される。これによれば、当該熱伝導部材５を介して、画像形成装置３１１の熱を、カバー部材３５における観察者ＵＳとは反対側の第２カバー部材３５２に伝導させることができる。従って、画像形成装置３１１の熱が、カバー部材３５における観察者ＵＳ側の部位を構成する第１カバー部材３５１に伝導されて、観察者ＵＳが当該熱を感じることを抑制できるので、虚像表示装置１Ａの装着感を向上させることができる。
【００６４】
カバー部材３５において、熱伝導部材５の上記他端が接続される観察者ＵＳとは反対側に位置する第２カバー部材３５２の熱伝導率は、観察者ＵＳ側に位置する第１カバー部材３５１の熱伝導率より高い。これによれば、当該第１カバー部材３５１に上記他端側が接続されて、画像形成装置３１１との熱が伝導される場合に比べ、当該熱を伝導させやすくすることができ、ひいては、当該熱を放出させやすくすることができる。従って、画像形成装置３１１を効果的に冷却できる。
また、観察者ＵＳ側の第１カバー部材３５１の熱伝導率が低いことにより、第１カバー部材３５１の温度上昇を抑制でき、観察者ＵＳが画像形成装置３１１の熱を一層感じにくくすることができる。
【００６５】
観察者ＵＳ側に位置する第１カバー部材３５１の側部３５１１の厚さ寸法は、観察者ＵＳとは反対側に位置する第２カバー部材３５２の側部３５２１の厚さ寸法より大きい。これによれば、第１カバー部材３５１の熱容量を、第２カバー部材３５２の熱容量より大きくすることができるので、当該第１カバー部材３５１の温度上昇を抑制でき、観察者ＵＳが画像形成装置３１１の熱を一層感じにくくすることができる。一方、第２カバー部材３５２の熱容量が小さくなり、熱抵抗が小さくなるので、熱伝導部材５を介して画像形成装置３１１の熱を当該第２カバー部材３５２に伝導させやすくすることができ、ひいては、当該画像形成装置３１１の熱を外部に放出させやすくすることができる。従って、画像形成装置３１１をより効果的に冷却できる。
【００６６】
［第３実施形態］
次に、本発明の第３実施形態について説明する。
本実施形態に係る虚像表示装置は、上記虚像表示装置１，１Ａと同様の構成を有する他、アーム部４内を通って画像形成装置３１１とヘッドバンド部２とを接続する熱伝導部材５と、当該ヘッドバンド部２において観察者ＵＳ側とは反対側の面に設けられた放熱部材と、を有する。この点で、本実施形態に係る虚像表示装置と、上記虚像表示装置１，１Ａとは相違する。なお、以下の説明では、既に説明した部分と同一又は略同一である部分については、同一の符号を付して説明を省略する。
【００６７】
図８は、本実施形態に係る虚像表示装置１Ｂを示す斜視図である。
本実施形態に係る虚像表示装置１Ｂは、上記虚像表示装置１と同様の構成の他、図８に示すように、ヘッドバンド部２において観察者ＵＳ側とは反対側に位置する外側側面部２１２に設けられる放熱部材２７（２７Ｌ，２７Ｒ）を有する。
そして、虚像表示装置１Ｂには、観察者ＵＳの左右にそれぞれ１つの熱伝導部材５（右側の熱伝導部材５については図示省略）が設けられ、左側に位置する熱伝導部材５は、カバー部材３４Ｌ、アーム部４Ｌ及びヘッドバンド部２に跨るように、これらの内部に設けられる。なお、図示を省略するが、右側に位置する熱伝導部材５も、カバー部材３４Ｒ、アーム部４Ｒ及びヘッドバンド部２に跨るように、これらの内部に設けられる。
【００６８】
これら熱伝導部材５のうち、観察者ＵＳの左側に配置された熱伝導部材５の一端は、カバー部材３４Ｌ内に設けられた発熱体である画像形成装置３１１と接続され、他端は、ヘッドバンド部２の外側側面部２１２において観察者ＵＳの左側に設けられた放熱部材２７Ｌと接続される。なお、熱伝導部材５は、上記のように、画像形成装置３１１から出射される光（画像光）の光路を遮らない位置に配置される。
このような熱伝導部材５により、画像形成装置３１１の熱は、アーム部４Ｌを介してヘッドバンド部２に伝導され、当該ヘッドバンド部２に設けられた放熱部材２７Ｌによって放熱される。また、図示を省略するが、観察者ＵＳの右側に配置された熱伝導部材５も同様に、カバー部材３４Ｒ内に設けられた発熱体である画像形成装置３１１の熱を、アーム部４Ｒを介してヘッドバンド部２に伝導し、当該熱は、外側側面部２１２において観察者ＵＳの右側に設けられた放熱部材２７Ｒによって放熱される。
このような構成により、左右のカバー部材３４Ｌ，３４Ｒ内に配置された画像形成装置３１１の熱が、対応する熱伝導部材５によりアーム部４Ｌ，４Ｒを介してヘッドバンド部２に伝導され、外側側面部２１２に配置された放熱部材２７Ｌ，２７Ｒによって放熱される。従って、当該熱が内側側面部２１１に伝導されて当該熱を観察者ＵＳが感じることを抑制できる。観察者ＵＳがヘルメット等を装着している場合でも同様である。
【００６９】
なお、外側側面部２１２の熱伝導率を、内側側面部２１１の熱伝導率より高くしてもよい。この場合、熱伝導部材５を介してヘッドバンド部２に伝導された熱（画像形成装置３１１の熱）を外側側面部２１２側に伝導させやすくすることができるので、当該熱が観察者ＵＳ側に位置する内側側面部２１１に伝導されることを抑制できる。このような場合には、放熱部材２７は無くてもよい。
また、放熱部材２７をアーム部４における観察者ＵＳ側とは反対側の面に設け、当該放熱部材２７に上記画像形成装置３１１の熱を熱伝導部材５を介して伝導させる構成としてもよい。
以上説明した本実施形態に係る虚像表示装置１Ｂによれば、上記虚像表示装置１，１Ａと同様の効果を奏することができる。
【００７０】
［第４実施形態］
次に、本発明の第４実施形態について説明する。
本実施形態に係る虚像表示装置は、上記第２実施形態の虚像表示装置１Ａと同様の表示部を備えるが、ヘッドバンド部２及びアーム部４を備えておらず、観察者ＵＳの耳に懸架される装着部材が、保持部材を構成するカバー部材に設けられた眼鏡型の構成を有する。この点で、本実施形態に係る虚像表示装置と、上記虚像表示装置１Ａとは相違する。なお、以下の説明では、既に説明した部分と同一又は略同一である部分については、同一の符号を付して説明を省略する。
【００７１】
図９は、本実施形態に係る虚像表示装置１Ｃを示す斜視図である。
本実施形態に係る虚像表示装置１Ｃは、図９に示すように、ヘッドバンド部２及びアーム部４を備えず、表示部３Ａと同様の構成を有する表示部３Ｃを備え、上記虚像表示装置１Ａと同様の機能を有する。また、表示部３Ｃは、表示部３Ａと同様に、上記一対の光学装置３１（３１Ｌ，３１Ｒ）と、当該一対の光学装置３１を保持する保持部材３２Ｃと、熱伝導部材５と、を備える。
保持部材３２Ｃは、フレーム３３Ｃ、カバー部材３５（３５Ｌ，３５Ｒ）、及び、各カバー部材３５に軸支される装着部材３６（観察者ＵＳにおける左側の装着部材を３６Ｌとし、右側の装着部材を３６Ｒとする）を有する。
【００７２】
フレーム３３Ｃは、上記フレーム３３と同様に、Ｙ方向側から見て観察者ＵＳの額部及び側頭部に沿うＵ字状に形成されている。なお、本実施形態では、フレーム３３Ｃは、熱伝導性を有する金属により形成されているが、画像形成装置３１１の熱が伝導されないのであれば、樹脂等により形成されてもよい。
【００７３】
各カバー部材３５（３５Ｌ，３５Ｒ）は、Ｕ字状のフレーム３３Ｃにおける右側及び左側の端部に取り付けられる。これらのうち、カバー部材３５Ｒ内には、右側光学装置３１Ｒをそれぞれ構成する画像形成装置３１１及び投射レンズ３１２が配置される。同様に、カバー部材３５Ｌ内には、左側光学装置３１Ｌをそれぞれ構成する画像形成装置３１１及び投射レンズ３１２が配置される。更に、カバー部材３５Ｌ，３５Ｒ内には、不図示の通信部及び制御部が設けられている。
通信部は、例えば、ＰＣ（personal computer）等の画像供給装置に接続され、画像情報を受信し、制御部に送信する。そして、制御部は、受信した画像情報に応じて表示部３Ｃを動作させる。これら通信部及び制御部は、フレーム３３Ｃの内部に設けられていてもよい。
なお、熱伝導部材５は、カバー部材３５を構成する第２カバー部材３５２に画像形成装置３１１の熱を伝導するが、上記虚像表示装置１における熱伝導部材５と同様に、フレーム３３Ｃに当該熱を伝導させてもよい。
【００７４】
装着部材３６（３６Ｌ，３６Ｒ）は、観察者ＵＳの側頭部に沿う円弧状に形成されている。これら装着部材３６Ｌ，３６Ｒは、各カバー部材３５Ｌ，３５Ｒの第１カバー部材３５１において導光部材３１３側とは反対側の端部にヒンジ部ＨＧを介して接続される。このため、装着部材３６Ｌ，３６Ｒは、ヒンジ部ＨＧにて、Ｙ方向（観察者ＵＳにとっての上下方向）に沿う回動軸を中心としてそれぞれ観察者ＵＳ側に回動可能とされている。これにより、虚像表示装置１Ｃを装着しない場合には、装着部材３６Ｌ，３６Ｒを観察者ＵＳ側に折り畳むことができる。一方、延ばした状態の各装着部材３６Ｌ，３６Ｒを両耳に懸架するとともに、フレーム３３Ｃの略中央に設けられた鼻パッドＰＤを鼻に当接させることにより、虚像表示装置１Ｃは、観察者ＵＳの頭部に装着される。
なお、本実施形態では、ヒンジ部ＨＧは、第２カバー部材３５２より熱伝導率が低い材料（例えば合成樹脂）等により構成されている。このため、観察者ＵＳに接触する装着部材３６Ｌ，３６Ｒに、画像形成装置３１１の熱がヒンジ部ＨＧを介して伝導されることが抑制される。
【００７５】
［第４実施形態の効果］
以上説明した本実施形態に係る虚像表示装置１Ｃによれば、上記虚像表示装置１Ａと同様の効果を奏する他、以下の効果を奏する。
熱伝導部材５が接続される第２カバー部材３５２とは反対側の第１カバー部材３５１に、ヒンジ部ＨＧを介して装着部材３６（３６Ｌ，３６Ｒ）が接続されるので、当該装着部材３６に画像形成装置３１１の熱が伝導されづらくすることができる。また、ヒンジ部ＨＧが、第２カバー部材３５２より熱伝導率が低い材料により形成されている場合には、例えば、当該ヒンジ部ＨＧが第２カバー部材３５２と同じ材料により形成されている場合に比べて、第１カバー部材３５１からの熱を装着部材３６に伝導させづらくすることができる。
従って、画像形成装置３１１の熱が、観察者ＵＳに装着される装着部材３６に伝導されて、観察者ＵＳが当該熱を感じることを抑制できる。
【００７６】
［第５実施形態］
以下、本発明の第５実施形態について説明する。
本実施形態に係る虚像表示装置は、上記虚像表示装置１Ｃと同様の構成を有する他、更に断熱部材を有する点で、当該虚像表示装置１Ｃと相違する。なお、以下の説明では、既に説明した部分と同一又は略同一である部分については、同一の符号を付して説明を省略する。
【００７７】
図１０は、本実施形態に係る虚像表示装置１Ｄにおける表示部３Ｄの右側光学装置３１Ｒ及びカバー部材３５ＲのＸＺ平面に沿う断面をＹ方向側から見た図である。
本実施形態に係る虚像表示装置１Ｄは、図１０に示すように、断熱部材６Ａを更に有する他は、上記虚像表示装置１Ｃと同様の構成及び機能を有する。
断熱部材６Ａは、シート状の断熱材であり、発熱体である画像形成装置３１１のＹ方向側及びＹ方向とは反対側の両端面と、観察者ＵＳ側の端面（右側光学装置３１ＲにおいてはＸ方向側とは反対側の端部）とを囲むように配置される。すなわち、断熱部材６Ａは、ＸＹ平面に沿う断面が、Ｘ方向に開口する横向きの略Ｕ字状となるように配置され、観察者ＵＳ側から見て場合に、発熱体である画像形成装置３１１を覆う。換言すると、断熱部材６Ａの一部は、第１カバー部材３５１と画像形成装置３１１との間に位置する。なお、断熱部材６Ａにおいて、画像形成装置３１１における観察者ＵＳ側の端部と対向する部位は、第１カバー部材３５１の内面３５１Ａに接続されている。
【００７８】
このような断熱部材６Ａによって、画像形成装置３１１にて生じた熱が遮られることにより、当該熱は、観察者ＵＳ側に位置する第１カバー部材３５１に伝導されづらくなる。これにより、虚像表示装置１Ｄを装着した観察者ＵＳが、当該第１カバー部材３５１から熱を感じることを抑制できる。
また、収容体であるカバー部材３５内には、一端が画像形成装置３１１と面接触し、他端が第２カバー部材３５２の内面と面接触する上記熱伝導部材５が設けられている。この熱伝導部材５によって、画像形成装置３１１の熱を第２カバー部材３５２に伝導する熱伝導経路が形成され、当該熱を第２カバー部材３５２にて放熱できるので、第１カバー部材３５１から当該熱をより感じにくくすることができる。なお、熱伝導部材５の他端がフレーム３３Ｃと熱伝導可能に接続され、画像形成装置３１１の熱を第２カバー部材３５２に伝導する熱伝導経路が形成される場合も同様である。
【００７９】
上記断熱部材６Ａは、図示を省略するが、カバー部材３５Ｌ内にも設けられており、当該カバー部材３５Ｌ内における断熱部材６Ａの配置位置は、右側光学装置３１Ｒの画像形成装置３１１及びカバー部材３５に対する断熱部材６Ａの位置と同様である。このため、左側光学装置３１Ｌを構成する画像形成装置３１１の熱は、熱伝導部材５を介して第２カバー部材３５２又はフレーム３３Ｃに伝導される一方で、断熱部材６Ａによって遮られることにより、第１カバー部材３５１に伝導されづらくなる。これにより、カバー部材３５Ｌにおいても第１カバー部材３５１から当該熱を感じにくくすることができる。
【００８０】
図１１は、断熱部材６Ａの他の配置例を示す図である。
また、断熱部材６Ａは、第１カバー部材３５１の内面３５１Ａではなく、当該第１カバー部材３５１の外面３５１Ｂに設けられていてもよく、図１１に示すように、これら内面３５１Ａ及び外面３５１Ｂのそれぞれに設けられていてもよい。断熱部材６Ａが外面３５１Ｂに設けられている場合でも、カバー部材３５を観察者ＵＳ側から見た場合に、発熱体である画像形成装置３１１を覆う位置に設けられることが好ましく、更には、当該外面３５１Ｂの全面を覆うように設けられることがより好ましい。このように断熱部材６Ａが配置される場合でも、虚像表示装置１Ｄを装着した観察者ＵＳが熱を感じにくくすることができる。
なお、本実施形態に係る虚像表示装置１Ｄに採用されるカバー部材は、厚さ寸法及び熱伝導率がそれぞれ異なる第１カバー部材３５１及び第２カバー部材３５２を有するカバー部材３５でなくてもよく、例えば、上記カバー部材３４であってもよい。
また、上記断熱部材６Ａを上記虚像表示装置１，１Ａ，１Ｂに適用してもよい。
【００８１】
［第５実施形態の効果］
以上説明した本実施形態に係る虚像表示装置１Ｄによれば、上記虚像表示装置１Ｃと同様の効果を奏することができる他、以下の効果を奏することができる。
カバー部材３５を観察者ＵＳ側から見た場合に、発熱体である画像形成装置３１１を覆う位置に断熱部材６Ａが設けられている。これによれば、当該熱が、収容体であるカバー部材３５において観察者側の側面部を構成する第１カバー部材３５１に伝導することを抑制できる。このため、当該熱により第１カバー部材３５１の温度が上昇することを抑制できるので、虚像表示装置１Ｄを装着した観察者ＵＳが、当該第１カバー部材３５１を介して画像形成装置３１１の熱を感じることを抑制できる。従って、虚像表示装置１Ｄの装着感を向上させることができる。
【００８２】
カバー部材３５は、観察者ＵＳ側に位置する観察者側側面部を構成する第１カバー部材３５１を有し、上記断熱部材６Ａは、第１カバー部材３５１に設けられている。これによれば、当該断熱部材６Ａをカバー部材３５内に容易に配置できる。従って、第１カバー部材３５１に画像形成装置３１１の熱を確実に伝導させづらくすることができ、虚像表示装置１Ｄの装着感を確実に向上させることができる。なお、上記のように、断熱部材６Ａが第１カバー部材３５１の外面３５１Ｂに設けられている場合でも同様である。
【００８３】
断熱部材６Ａは、第１カバー部材３５１と画像形成装置３１１との間に配置されている。これによれば、当該断熱部材６Ａを容易に配置できる他、画像形成装置３１１の熱を断熱部材６Ａによって確実に遮ることができる。なお、断熱部材６Ａと内面３５１Ａとの間に隙間や他の部材が介装されている場合には、当該断熱部材６Ａに伝導された熱が第１カバー部材３５１に直接伝導されることを抑制できる。
【００８４】
断熱部材６Ａは、カバー部材３５内において画像形成装置３１１を囲むように配置される。これによれば、画像形成装置３１１と第１カバー部材３５１との間に断熱部材６Ａを確実に位置させることができ、当該画像形成装置３１１の熱を第１カバー部材３５１に伝導させづらくすることができる。従って、虚像表示装置１Ｄの装着感をより確実に向上させることができる。
【００８５】
一端が画像形成装置３１１と接続され、他端が第２カバー部材３５２に接続される熱伝導部材５が設けられることにより、当該画像形成装置３１１の熱をカバー部材３５外に伝導する熱伝導経路が形成される。これによれば、画像形成装置３１１の温度上昇、ひいては、カバー部材３５内の温度上昇を抑制できるので、画像形成装置３１１の劣化を抑制できる。また、画像形成装置３１１の熱が第２カバー部材３５２に伝導されるので、当該熱が第１カバー部材３５１に伝導されることを抑制でき、虚像表示装置１Ｄの装着感をより確実に向上させることができる。熱伝導部材５によって画像形成装置３１１の熱を第２カバー部材３５２に伝導する熱伝導経路が形成される場合も同様である。
【００８６】
なお、上記のように、熱伝導部材５の他端は、フレーム３３Ｃに接続されていてもよい。この場合、画像形成装置３１１の熱は、少なくとも一部が外部に露出するフレーム３３Ｃに熱伝導部材５を介して伝導される。これにより、当該熱を虚像表示装置１Ｄの外部に放熱できる。従って、画像形成装置３１１の熱が第１カバー部材３５１に伝導されることを確実に抑制できる他、当該画像形成装置３１１の温度上昇及び劣化を抑制できる。
【００８７】
ここで、虚像表示装置１Ｄを利用する場合、画像形成装置３１１は比較的高い熱を生じる。これに対し、断熱部材６Ａによって、画像形成装置３１１にて生じた熱が、第１カバー部材３５１に伝導することが抑制されるので、上記のように、虚像表示装置１Ｄの装着感を向上させることができる。また、画像形成装置３１１は熱に弱い特性を有するので、上記熱伝導経路により、画像形成装置３１１の熱をカバー部材３５外に放熱できるので、当該画像形成装置３１１の温度上昇及び劣化を抑制できる。
【００８８】
［第６実施形態］
次に、本発明の第６実施形態について説明する。
本実施形態に係る虚像表示装置は、上記虚像表示装置１Ｄと同様の構成を有する。ここで、当該虚像表示装置１Ｄでは、断熱部材６Ａは、シート状の断熱材により構成された。これに対し、本実施形態に係る虚像表示装置では、断熱部材は、ケース部材内に充填された断熱材により構成される。この点で、本実施形態に係る虚像表示装置と、当該虚像表示装置１Ｄとは相違する。なお、以下の説明では、既に説明した部分と同一又は略同一である部分については、同一の符号を付して説明を省略する。
【００８９】
図１２は、本実施形態に係る虚像表示装置１Ｅにおける表示部３Ｅの右側光学装置３１Ｒ及びカバー部材３５ＲのＸＺ平面に沿う断面をＹ方向側から見た図である。
本実施形態に係る虚像表示装置１Ｅは、図１２に示すように、断熱部材６Ａに代えて断熱部材６Ｂを有する他は、上記虚像表示装置１Ｄと同様の構成及び機能を備える。
断熱部材６Ｂは、高発泡ポリエチレンフォーム等の発泡断熱材により形成される。この断熱部材６Ｂは、当該発泡断熱材がカバー部材３５内に注入され、当該カバー部材３５内の隙間に充填されて固化することにより、発熱体である画像形成装置３１１を囲み、当該画像形成装置３１１と上記第１カバー部材３５１との間に位置する。このような断熱部材６Ｂにより、画像形成装置３１１の熱が第１カバー部材３５１に伝導されることが抑制される。すなわち、観察者ＵＳ側からカバー部材３５を見た場合に、断熱部材６Ｂの少なくとも一部は、第１カバー部材３５１と画像形成装置３１１との間で、画像形成装置３１１を覆う位置に設けられる。
【００９０】
このため、上記断熱部材６Ａが採用された場合と同様に、画像形成装置３１１にて生じた熱は、当該画像形成装置３１１と第１カバー部材３５１との間に位置する断熱部材６Ｂによって遮られて、当該第１カバー部材３５１に伝導されることが抑制される。これにより、虚像表示装置１Ｅを装着した観察者ＵＳが、当該第１カバー部材３５１から熱を感じることを抑制できる。
なお、上記と同様に、カバー部材３５内に設けられる熱伝導部材５によって、画像形成装置３１１の熱を第２カバー部材３５２又はフレーム３３Ｃに伝導する熱伝導経路が形成されている。これにより、当該熱をカバー部材３５外に放熱できるので、第１カバー部材３５１への熱の伝導を確実に抑制できる。
【００９１】
また、図示を省略するが、観察者ＵＳにおいて左側に位置するカバー部材３５Ｌ内にも、上記断熱部材６Ｂが充填され、熱伝導部材５が配置されている。これにより、左側光学装置３１Ｌを構成する画像形成装置３１１の熱は、熱伝導部材５を介して第２カバー部材３５２に伝導される一方で、断熱部材６Ｂによって遮られて第１カバー部材３５１に伝導されづらくなる。これにより、カバー部材３５Ｌにおいても第１カバー部材３５１から当該熱を感じにくくすることができる。
なお、本実施形態に係る虚像表示装置１Ｅにおいても、カバー部材は、カバー部材３５でなくてもよく、例えば、上記カバー部材３４であってもよい。
また、上記断熱部材６Ｂを上記虚像表示装置１，１Ａ，１Ｂに適用してもよい。
【００９２】
［第６実施形態の効果］
以上説明した本実施形態に係る虚像表示装置１Ｅによれば、上記虚像表示装置１Ｄと同様の効果を奏することができる他、以下の効果を奏することができる。
カバー部材３５内に充填される断熱部材６Ｂによって、画像形成装置３１１と第１カバー部材３５１との間に断熱部材６Ｂを確実に位置させることができ、当該画像形成装置３１１の熱を第１カバー部材３５１に伝導させづらくすることができる。従って、第１カバー部材３５１から熱を感じにくくすることができ、虚像表示装置１Ｅの装着感を確実に向上させることができる。
【００９３】
［第７実施形態］
次に、本発明の第７実施形態について説明する。
本実施形態に係る虚像表示装置は、上記虚像表示装置１Ｄと同様の構成を有するが、本実施形態に係る虚像表示装置では、画像形成装置の構成及び配置が上記画像形成装置３１１と異なる他、当該画像形成装置から出射された画像を反射させる反射部材が設けられる。これらの点で、本実施形態に係る虚像表示装置と、上記虚像表示装置１Ｄとは相違する。なお、以下の説明では、既に説明した部分と同一又は略同一である部分については、同一の符号を付して説明を省略する。
【００９４】
図１３は、本実施形態に係る虚像表示装置１Ｆにおける表示部３Ｄの右側光学装置３１Ｒ及びカバー部材３５ＲのＸＺ平面に沿う断面をＹ方向側から見た図である。
本実施形態に係る虚像表示装置１Ｆは、表示部３Ｄに代えて表示部３Ｆを有する他は、上記虚像表示装置１Ｄと同様の構成及び機能を有する。また、表示部３Ｆは、図１３に示すように、画像形成装置３１１に代えて画像形成装置３１４を有し、更に反射部材３１５を有する他は、上記表示部３Ｄと同様の構成を有する。すなわち、表示部３Ｆは、光学装置３１（３１Ｌ，３１Ｒ）と、フレーム３３Ｃ及びカバー部材３５（３５Ｌ，３５Ｒ）を有する保持部材３２と、熱伝導部材５と、断熱部材６Ａと、を有し、各光学装置３１は、画像形成装置３１４、反射部材３１５、投射レンズ３１２及び導光部材３１３（３１３Ｌ，３１３Ｒ）を有する。
以下の説明では、図１２を参照して、表示部３Ｆを構成する部材のうち、観察者ＵＳの右側に位置する構成について説明するが、左側に位置する構成についても同様である。
【００９５】
画像形成装置３１４は、上記画像形成装置３１１と同様に、入力される画像信号に応じた画像を形成して出射する。この画像形成装置３１４は、本実施形態では、有機ＥＬパネル等の自発光型表示パネルである表示パネルにより構成され、第２カバー部材３５２側に配置されている。詳述すると、画像形成装置３１４は、カバー部材３５Ｒ内の収容空間においてＸ方向の中心線ＣＬより第２カバー部材３５２側に位置し、反射部材３１５は、画像形成装置３１４に対して第１カバー部材３５１側に位置している。そして、画像形成装置３１４は、画像の出射面３１４Ａが、観察者ＵＳ側である第１カバー部材３５１側を向くように配置される。なお、本実施形態では、上記画像形成装置３１４を採用したが、上記画像形成装置３１１を採用し、画像形成装置３１４と同様の位置及び同様の向きに配置してもよい。
【００９６】
反射部材３１５は、画像形成装置３１４から出射された画像（画像光）を投射レンズ３１２に向けて反射させる。この反射部材３１５の反射面３１５Ａは、当該画像形成装置３１４及び投射レンズ３１２と対向するように、当該投射レンズ３１２の光軸に対して傾斜している。
このように配置される画像形成装置３１４から観察者ＵＳ側に出射された画像光は、反射部材３１５によって反射され、投射レンズ３１２に入射される。そして、当該投射レンズ３１２により投射された画像光は、上記のように、導光部材３１３Ｒに入射され、これにより、観察者ＵＳの右眼に導かれる。
【００９７】
本実施形態においては、熱伝導部材５は、シート状に形成されており、当該熱伝導部材５における一方の面は、画像形成装置３１４において出射面３１４Ａとは反対側の面３１４Ｂと面接触され、他方の面は、第２カバー部材３５２の内面と接続されている。すなわち、当該熱伝導部材５によって、上記と同様に、画像形成装置３１４の熱を第２カバー部材３５２に伝導する熱伝導経路が形成されている。これにより、右側光学装置３１Ｒにおける発熱体である画像形成装置３１４の熱を、熱伝導部材５を介して効率よく第２カバー部材３５２に伝導でき、当該第２カバー部材３５２の外面から放熱できる。なお、熱伝導部材５は、画像形成装置３１４と上記フレーム３３Ｃとを接続するように配置されてもよい。
また、第１カバー部材３５１と画像形成装置３１４との間に、反射部材３１５が位置することにより、第１カバー部材３５１と画像形成装置３１４との間の寸法を大きくすることができ、当該画像形成装置３１４の熱の第１カバー部材３５１への伝導が抑制される。
【００９８】
更に、カバー部材３５内には、上記虚像表示装置１Ｄと同様に、画像形成装置３１４及び反射部材３１５におけるＹ方向側及びＹ方向とは反対側に位置するとともに、これらの観察者ＵＳ側に位置する断熱部材６Ａが設けられている。すなわち、当該断熱部材６Ａは、Ｙ方向側及びＹ方向とは反対側、並びに、Ｘ方向とは反対側（観察者ＵＳ側）にて画像形成装置３１４及び反射部材３１５を囲むように配置される。これにより、画像形成装置３１４の熱がカバー部材３５の収容空間に放出される場合でも、当該熱が第１カバー部材３５１に伝導されづらくなる。
なお、断熱部材６Ａは、第１カバー部材３５１の内面３５１Ａに応じて設けられてもよく、当該第１カバー部材３５１の外面３５１Ｂに設けられてもよく、更には、内面３５１Ａ及び外面３５１Ｂのそれぞれに設けられてもよい。また、上記発泡断熱材を内面３５１Ａに固着させて、断熱部材６Ｂを内面３５１Ａに形成してもよく、画像形成装置３１４の光路から外れた位置に、当該発泡断熱材を充填して断熱部材６Ｂを形成してもよい。更に、カバー部材３５に代えてカバー部材３４を採用してもよい。
また、このような虚像表示装置１Ｆの構成を、上記虚像表示装置１，１Ａ，１Ｂに適用してもよい。
【００９９】
［第７実施形態の効果］
以上説明した本実施形態に係る虚像表示装置１Ｆによれば、上記虚像表示装置１Ｄと同様の効果を奏することができる他、以下の効果を奏することができる。
虚像表示装置１Ｆの利用時に比較的高い熱が生じる画像形成装置３１４は、カバー部材３５内において観察者ＵＳ側とは反対側に配置され、反射部材３１５は、当該カバー部材３５内において観察者ＵＳ側に配置される。これにより、画像形成装置３１４と第１カバー部材３５１との間の寸法を大きくすることができる。この他、反射部材３１５を画像形成装置３１４にて生じた熱の第１カバー部材３５１への伝導を遮る障害物として利用できる。従って、画像形成装置３１４の熱が第１カバー部材３５１に伝導することを確実に抑制でき、虚像表示装置１Ｆの装着感を一層確実に向上させることができる。
【０１００】
［第８実施形態］
次に、本発明の第８実施形態について説明する。
本実施形態に係る虚像表示装置は、上記虚像表示装置１，１Ａ，１Ｂと同様の構成を有する他、観察者ＵＳ側から見て、ヘッドバンド部２の外装ケース２１内に設けられた発熱体を覆うように配置される断熱部材を有する。この点で、本実施形態に係る虚像表示装置は、上記虚像表示装置１と相違する。なお、以下の説明では、既に説明した部分と同一又は略同一である部分については、同一の符号を付して説明を省略する。
【０１０１】
図１４は、本実施形態に係る虚像表示装置１Ｇが備える断熱部材６Ｃの配置を示す図であり、ヘッドバンド部２をＹ方向側から見た図である。なお、図１４においては、装着部材２４等の一部の構成の図示を省略している。
本実施形態に係る虚像表示装置１Ｇは、図１４に示すように、シート状の断熱材により構成された断熱部材６Ｃを更に有する他は、上記虚像表示装置１，１Ａ，１Ｂのいずれかと同様の構成を有する。
【０１０２】
断熱部材６Ｃは、ヘッドバンド部２を構成する筐体としての外装ケース２１の内部に設けられる。具体的に、断熱部材６Ｃは、観察者ＵＳ側から当該外装ケース２１を見た場合に、発熱体である上記制御部２３を覆う位置に設けられる。より詳述すると、断熱部材６Ｃは、制御部２３と対向し、かつ、Ｙ方向側及び当該Ｙ方向とは反対側から挟むように、当該制御部２３を囲むように配置される。そして、断熱部材６Ｃは、外装ケース２１において観察者ＵＳと対向する上記内側側面部２１１の内面に接着剤等により固定されている。すなわち、断熱部材６Ｃは、内側側面部２１１と制御部２３との間に位置することとなる。
このような断熱部材６Ｃによって、発熱体である制御部２３の熱が内側側面部２１１に伝導されづらくなる。これにより、ヘッドバンド部２を頭部に装着する観察者ＵＳが熱を感じにくくすることができる。
【０１０３】
以上説明した本実施形態に係る虚像表示装置１Ｇによれば、上記虚像表示装置１Ｄと同様の効果を奏することができる。
なお、制御部２３と接続されて当該制御部２３の熱を他の位置に伝導することによって当該制御部２３の温度上昇を抑制する熱伝導部材を外装ケース２１内に設けてもよい。このような熱伝導部材としては、上記熱伝導部材５と同様の構成を例示できる。
また、シート状の断熱材により構成された断熱部材６Ｃに代えて、上記断熱部材６Ｂと同様の発泡断熱材が内側側面部２１１の内面に固着されて構成される断熱部材を設けてもよい。
更に、内側側面部２１１の内面に設けられる断熱部材６Ｃに代えて、或いは、加えて、内側側面部２１１の外面にも断熱部材６Ｃを設けてもよい。
【０１０４】
［第９実施形態］
次に、本発明の第９実施形態について説明する。
本実施形態に係る虚像表示装置は、上記虚像表示装置１Ｇと同様の構成を有するが、シート状の断熱材により構成された断熱部材６Ｃに代えて、外装ケース２１の少なくとも一部の領域に充填された断熱部材を有する点で、当該虚像表示装置１Ｇと相違する。なお、以下の説明では、既に説明した部分と同一又は略同一である部分については、同一の符号を付して説明を省略する。
【０１０５】
図１５及び図１６は、本実施形態に係る虚像表示装置１Ｈが備える断熱部材６Ｄの配置を示す図である。詳述すると、図１５は、ヘッドバンド部２をＹ方向側から見た図であり、図１６は、ヘッドバンド部２におけるＹＺ平面に沿う断面をＸ方向側とは反対側から見た図である。なお、図１５においては、装着部材２４等の一部の構成の図示を省略している。
本実施形態に係る虚像表示装置１Ｈは、図１５及び図１６に示すように、断熱部材６Ｃに代えて断熱部材６Ｄを更に有する他は、上記虚像表示装置１Ｇと同様の構成を有する。
【０１０６】
断熱部材６Ｄは、外装ケース２１内に充填された断熱材によって構成されて、観察者ＵＳと発熱体としての制御部２３との間に位置し、これにより、発熱体である制御部２３の熱が内側側面部２１１に伝導されることを抑制するものである。この断熱部材６Ｄは、上記断熱部材６Ｂと同様の発泡断熱材により構成され、上記断熱部材６Ｃと同様に、制御部２３と内側側面部２１１の内面との間に形成される。
本実施形態では、外装ケース２１の内部には、図１５に示すように、制御部２３を挟む位置に、一対の壁部２１３が形成されている。これら壁部２１３は、外装ケース２１内において断熱部材６Ｄが形成される範囲を設定するものであり、これら壁部２１３により、断熱部材６Ｄは、観察者ＵＳ側から見て、Ｘ方向及びＹ方向において制御部２３を覆う程度の範囲（制御部２３を囲む程度の範囲）に形成される。しかしながら、断熱部材６Ｄは、外装ケース２１の内部に形成されて制御部２３等が収容される収容空間内の全てに形成されてもよい。
【０１０７】
このような断熱部材６Ｄが採用された虚像表示装置１Ｈによっても、上記断熱部材６Ｃが採用された上記虚像表示装置１Ｇと同様の効果を奏することができる。
なお、外装ケース２１における制御部２３の配置位置に上記撮像部２２を配置してもよく、制御部２３が別の部位に配置されていてもよい。撮像部２２は、動作時に発熱する発熱体であるので、撮像部２２の機種によっては、発熱量が高い場合がある。これに対し、撮像部２２と観察者ＵＳとの間に断熱部材６Ｃ又は断熱部材６Ｄが配置されることにより、当該撮像部２２の熱を観察者ＵＳが感じにくくすることができ、虚像表示装置（画像表示装置）の装着感を向上させることができる。
【０１０８】
［第１０実施形態］
次に、本発明の第１０実施形態について説明する。
本実施形態に係る虚像表示装置は、上記虚像表示装置１Ｃと同様の構成を有するが、カバー部材３５Ｒ内に設けられる発熱体としての撮像部と、当該撮像部及び観察者ＵＳの間に配置される断熱部材とを有する。これらの点で、本実施形態に係る虚像表示装置と上記虚像表示装置１Ｃとは、相違する。なお、以下の説明では、既に説明した部分と同一又は略同一である部分については、同一の符号を付して説明を省略する。
【０１０９】
図１７は、本実施形態に係る虚像表示装置１Ｉにおける表示部３Ｉの右側光学装置３１Ｒ及びカバー部材３５ＲのＸＺ平面に沿う断面をＹ方向側から見た図である。
本実施形態に係る虚像表示装置１Ｄは、図１７に示すように、撮像部７及び断熱部材６Ｅを有する他は、上記虚像表示装置１Ｃと同様の構成及び機能を有する。
撮像部７は、撮像方向がカバー部材３５Ｒの外側を向くように（詳しくは、観察者ＵＳの視方向に沿うように）、収容体としてのカバー部材３５Ｒ内に配置される。このような撮像部７は、詳しい図示を省略するが、右側光学装置３１Ｒを構成する投射レンズ３１２に対する下側（Ｙ方向側とは反対側）に配置される。そして、撮像部７は、カバー部材３５Ｒの外部に配置された制御装置と不図示のケーブルを介して接続され、当該制御装置に撮像画像を送信する。
【０１１０】
断熱部材６Ｅは、カバー部材３５Ｒ内において、撮像部７と観察者ＵＳとの間に配置される。この断熱部材６Ｅは、発熱体である撮像部７の熱を観察者ＵＳが感じにくくするものであり、本実施形態では、当該撮像部７の熱が観察者ＵＳ側に位置する第１カバー部材３５１に伝導されることを抑制する。
このような断熱部材６Ｅは、上記断熱部材６Ａと同様にシート状の断熱材であってもよく、断熱部材６Ｂを構成する上記発泡断熱材を撮像部７と側部３５１１の内面との間に充填することにより形成されてもよい。
また、断熱部材６Ｅは、第１カバー部材３５１において観察者ＵＳに対向する側部３５１１の内面に配置されてもよく、当該側部３５１１の外面に配置されてもよい。この他、断熱部材６Ｅは、第１カバー部材３５１において側部３５１１と交差する側部（例えばＹ方向側とは反対側の側部）に取り付けられていてもよく、投射レンズ３１２に取り付けられていてもよく、更には、撮像部７に設けられていてもよい。
【０１１１】
このような断熱部材６Ｅが採用された虚像表示装置１Ｉによれば、上記虚像表示装置１Ｃが奏することができる効果に加えて、上記虚像表示装置１Ｈが奏することができる効果と同様の効果を奏することができる。
なお、虚像表示装置１Ｉは、発熱体としての撮像部７を内部に収容する収容体として、カバー部材３５を採用した。しかしながら、これに限らず、カバー部材３４を収容体として採用してもよい。また、虚像表示装置１Ｉに採用されるカバー部材が、カバー部材３４，３５のいずれでも、上記断熱部材６Ａ，６Ｂを採用してもよい。また、断熱部材は、撮像部７と観察者ＵＳとの間に配置されていれば、カバー部材３４の外面に設けられていてもよい。
更に、撮像部７は、観察者ＵＳにとっての右側に位置するカバー部材内に設けられていたが、左側に位置するカバー部材内に設けられていてもよく、それぞれのカバー部材内に設けられていてもよい。左側に位置するカバー部材内に撮像部７が設けられている場合でも、本実施形態にて説明した構成を適用可能である。
【０１１２】
［第１１実施形態］
次に、本発明の第１１実施形態について説明する。
本実施形態に係る虚像表示装置は、上記虚像表示装置１Ｄと同様の構成を有するが、装着部材３６（３６Ｌ，３６Ｒ）のそれぞれに発熱体としてのバッテリーが設けられ、当該装着部材３６及びバッテリーにおいて観察者ＵＳ側の面に、断熱部材が設けられる。これらの点で、本実施形態に係る虚像表示装置と、当該虚像表示装置１Ｄとは相違する。なお、以下の説明では、既に説明した部分と同一又は略同一である部分については、同一の符号を付して説明を省略する。
【０１１３】
図１８は、本実施形態に係る虚像表示装置１Ｊを示す斜視図である。
本実施形態に係る虚像表示装置１Ｊは、図１８に示すように、装着部材３６に代えて装着部材３７を有する他、各装着部材３７に取り付けられるバッテリーＢＴと、これら装着部材３７における観察者ＵＳ側の面に設けられる断熱部材６Ｆを有する他は、上記虚像表示装置１Ｄと同様の構成及び機能を有する。
バッテリーＢＴは、装着部材３７のそれぞれに着脱可能に設けられる二次電池である。これらバッテリーＢＴには、使用時及び充電時に熱が発生することから、当該バッテリーＢＴは、発熱体である。
【０１１４】
装着部材３７（観察者ＵＳにおける左側の装着部材を３７Ｌとし、右側の装着部材を３７Ｒとする）は、装着部材３６Ｌ，３６Ｒと同様の形状を有し、当該装着部材３６Ｌ，３６Ｒと同様に、それぞれヒンジ部ＨＧを介してカバー部材３５Ｌ，３５Ｒに、観察者ＵＳ側に回動可能に取り付けられる。これら装着部材３７Ｌ，３７Ｒにおける先端側（対応するカバー部材３５Ｌ，３５Ｒ側とは反対側）には、バッテリーＢＴが内部に着脱可能に収容される収容体としての収容部３７１が設けられている。これら収容部３７１の内部には、図示を省略するが、当該バッテリーＢＴと接続される端子が設けられている他、ケーブルを介して接続された上記画像形成装置３１１や上記制御部に、バッテリーＢＴから供給される電力が供給される。
【０１１５】
断熱部材６Ｆは、装着部材３７Ｌ，３７Ｒにおける観察者ＵＳ側の面の略全面にそれぞれ設けられている。すなわち、断熱部材６Ｆは、観察者ＵＳ側から見て、少なくともバッテリーＢＴを覆うように設けられており、換言すると、観察者ＵＳとバッテリーＢＴとの間に配置されている。これら断熱部材６Ｆは、断熱部材６Ａと同様にシート状の断熱材により構成されているが、上記発泡断熱材を当該面に固着させることにより形成されてもよい。また、装着部材３７Ｌ，３７Ｒの観察者ＵＳ側の面における収容部３７１に応じた領域にのみ断熱部材６Ｆが設けられていてもよい。
このような断熱部材６Ｆが、観察者ＵＳの側頭部及び後頭部に接触する装着部材３７Ｌ，３７Ｒに設けられていることにより、発熱体であるバッテリーＢＴの熱が観察者ＵＳ側に放出されることを抑制できる。従って、観察者ＵＳが当該熱を感じにくくすることができる。
以上説明した本実施形態に係る虚像表示装置１Ｊによれば、上記虚像表示装置１Ｄと同様の効果を奏することができる。
なお、バッテリーＢＴは、収容部３７１内に収容されるとしたが、少なくとも一部が露出するように装着部材３７（３７Ｌ，３７Ｒ）に取り付けられてもよい。すなわち、当該バッテリーＢＴを内部に収容する収容部３７１は無くてもよく、例えば観察者ＵＳ側とは反対側に露出していてもよい。
【０１１６】
［実施形態の変形］
本発明は、上記実施形態に限定されるものではなく、本発明の目的を達成できる範囲での変形、改良等は本発明に含まれるものである。
光源装置３１１１及び光変調装置３１１２は、固定部材３１１３により一体化されていた。しかしながら、本発明は、これに限らない。すなわち、固定部材３１１３を設けることなく、光源装置３１１１及び光変調装置３１１２が一体化されていてもよい。例えば、光源装置３１１１及び光変調装置３１１２は、カバー部材３４，３５に固定されて一体化されてもよく、互いに接着剤等を用いて一体化されていてもよい。一方、光源装置３１１１及び光変調装置３１１２は一体化されていなくてもよい。この場合、光源装置３１１１及び光変調装置３１１２のそれぞれに熱伝導部材５が熱伝導可能に接触する構成としてもよい。
【０１１７】
熱伝導部材５は、画像形成装置３１１，３１４や制御部２３に熱伝導可能に接続されることとした。この熱伝導部材５は、接続対象に熱伝導可能に接続されれば、当該熱伝導部材５の接続形式は問わない。例えば、熱伝導可能な接着剤によって、画像形成装置３１１等の接続対象に接続されてもよいし、熱伝導部材の中間部に熱伝導ペーストを介することにより当該接続対象に接続されてもよいし、熱伝導可能なピン等で固定されていてもよい。また、熱伝導部材５の端部を折り曲げたり、当該端部を円環状態にしたり、当該端部を矩形状にした状態で上記接続対象に接続されてもよい。すなわち、熱伝導部材５は、熱伝導可能に画像形成装置３１１等の発熱体と、フレーム３３，３３Ｃ及び第２カバー部材３５２等の放熱体と、に接触していればよく、放熱体もフレーム３３，３３Ｃや第２カバー部材３５２に限らない。また、熱伝導部材５の端部を熱伝導可能な部材に接続し、当該部材を接続対象に接続するようにしてもよい。
【０１１８】
熱伝導部材５は、画像形成装置３１１，３１４から出射された光の光路を遮らない位置に接続されていた。具体的に、上記第１実施形態では、熱伝導部材５は、光源装置３１１１のＺ方向とは反対側の面ＳＦ（光出射側とは反対側の面ＳＦ）に接続されていた。また、上記第２〜第１０実施形態では、熱伝導部材５は、当該反対側の面ＳＦと、画像形成装置３１１における観察者ＵＳとは反対側の側面に接続されていた。また、第７実施形態では、熱伝導部材５は、画像形成装置３１４における出射面３１４Ａとは反対側の面３１４Ｂに接続されていた。しかしながら、本発明は、これに限らない。すなわち、熱伝導部材５は、画像形成装置３１１，３１４と、少なくとも一部が外部に露出する部材とに熱伝導可能に接触して、画像形成装置３１１の熱を当該部材に伝導できればよい。このため、熱伝導部材５は、例えば、画像形成装置３１１，３１４におけるＹ方向側又はＹ方向とは反対側の側面に接続されていてもよい。そして、画像形成装置３１１に接続される熱伝導部材５は、光源装置３１１１、光変調装置３１１２及び固定部材３１１３の少なくともいずれかに接続されていればよく、固定部材３１１３のみに接続されていてもよい。また、画像形成装置３１４に接続される熱伝導部材５は、出射面３１４Ａ以外の面や、当該出射面３１４Ａにおける画像光の出射領域以外の領域に接続されていてもよい。
【０１１９】
熱伝導部材５が画像形成装置３１１の観察者ＵＳとは反対方向側の側面に接続され、熱伝導部材５の観察者ＵＳとは反対方向側の面において当該反対側の側面に接続された部分とは反対側の部分が、第２カバー部材３５２の観察者ＵＳ側の面に面接触するとした。しかしながら、本発明は、これに限らない。例えば、画像形成装置３１１の熱を第２カバー部材３５２に効率よく伝導できれば、熱伝導部材５が画像形成装置３１１の観察者ＵＳとは反対方向側の側面に接続しなくてもよい。これによれば、第２カバー部材３５２の側部３５２１の厚さをより小さくできるので、当該第２カバー部材３５２の熱抵抗を更に小さくできる。従って、画像形成装置３１１から熱伝導部材５を介して伝導された熱を、当該第２カバー部材３５２から更に効率よく放熱することができる。
【０１２０】
第２カバー部材３５２に接続される熱伝導部材５は、当該第２カバー部材３５２における観察者ＵＳ側の面である内面に接続されるとした。しかしながら、本発明は、これに限らない。例えば、カバー部材３５の第２カバー部材３５２において、熱伝導部材５との接触部位に応じた位置に、伝導される熱を放熱可能な放熱部材（例えば金属板）を、当該第２カバー部材３５２をＸ方向に貫通するように設けてもよい。
【０１２１】
熱伝導部材５は、可撓性を有する矩形状のグラファイトシートにより構成されることとした。しかしながら、これに限らず、熱伝導部材５は、例えば、可撓性を有さない１００Ｗ／ｍＫ以上の金属材料であってもよいし、フィラー材を含んだプラスチック材料であってもよい。すなわち、熱伝導部材５は、熱伝導性を有すればよく、材料は問わない。このため、熱伝導性を有する部材間を接触させて、熱伝導経路を形成してもよい。また、熱伝導部材５は、矩形状でなくてもよい。
【０１２２】
カバー部材３５の第１カバー部材３５１における側部３５１１（観察者ＵＳに対向する側部３５１１）の厚さ寸法は、第２カバー部材３５２における観察者ＵＳとは反対側の側部３５２１の厚さ寸法より大きいとした。しかしながら、本発明は、これに限らない。例えば、側部３５１１の厚さ寸法と、側部３５２１の厚さ寸法とが同じであってもよいし、上記側部３５１１の厚さ寸法が、上記側部３５２１の厚さ寸法より小さくてもよい。この際、側部３５１１の熱伝導率が、側部３５２１の熱伝導率より低くなるように、カバー部材３５を形成してもよい。カバー部材３４における第１カバー部材３４１及び第２カバー部材３４２においても同様である。
【０１２３】
表示部３，３Ａ，３Ｃ〜３Ｆは、左側光学装置３１Ｌと、右側光学装置３１Ｒとを備える構成を例示した。しかしながら、本発明はこれに限らない。すなわち、左側光学装置３１Ｌ及び右側光学装置３１Ｒうちの一方を備える構成を採用してもよい。この場合、当該一方の光学装置を有する表示部３を１つのアーム部４のみで支持する構成、例えば、左側光学装置３１Ｌを左側のアーム部４のみで支持する構成としてもよく、１対のアーム部４で支持する構成としてもよい。
【０１２４】
アーム部４（４Ｌ，４Ｒ）は、ヘッドバンド部２との接続部位（回動軸部２５）を中心として回動可能であった。しかしながら、本発明はこれに限らない。すなわち、アーム部４は、ヘッドバンド部２に固定されていてもよく、例えば、アーム部４が表示部３の位置を調整可能な可動部を備える構成を採用してもよい。
【０１２５】
導光部材３１３Ｌ，３１３Ｒは、それぞれフレーム３３，３３Ｃに固定されていた。しかしながら、本発明はこれに限らない。例えば、Ｘ方向に沿う回動軸を中心として、導光部材３１３Ｌ，３１３Ｒをそれぞれ独立して、或いは、連動して、観察者ＵＳとは反対側に回動可能に構成してもよい。この場合、当該回動軸を、導光部材３１３におけるＹ方向側又はＹ方向とは反対側に位置するように構成することにより、導光部材３１３を回動させて、観察者ＵＳの視方向から退避させることができる。
また、制御部２３は、ヘッドバンド部２や保持部材３２内に設けられる構成を例示した。しかしながら、本発明はこれに限らない。例えば、上記各虚像表示装置１，１Ａ〜１Ｉにおいて、制御部２３は、表示部３，３Ａ，３Ｃ〜３Ｆやアーム部４（４Ｌ，４Ｒ）に設けられていてもよく、装着部材３６，３７に設けられていてもよい。
【０１２６】
ヘッドバンド部２は、ケーブルＣＢ１を介して、観察者ＵＳによる各種入力操作を受け付ける不図示のコントローラーが接続され、当該コントローラーからの操作情報及び画像情報に応じて、制御部２３により虚像表示装置が制御されることとした。しかしながら、本発明はこれに限らない。
例えば、コントローラーが接続される構成において、虚像表示装置とコントローラーとのうちの一方が、観察者ＵＳの操作に応じた操作情報を取得する機能と、画像情報を取得して当該画像情報に応じて表示部を駆動させる機能と、電力を供給する機能の少なくともいずれかを有し、他方が、残りの機能を有するように構成してもよい。また、虚像表示装置が、観察者のタップ操作等を認識するように構成してもよい。
【０１２７】
断熱部材６Ａ〜６Ｆは、それぞれ発熱体である画像形成装置３１１，３１４、制御部２３、撮像部７及びバッテリーＢＴが内部に配置される収容体としてのカバー部材３４，３５、外装ケース２１及び収容部３７１のそれぞれを観察者ＵＳ側から見た場合に、これら発熱体を覆う位置に配置されるとした。換言すると、断熱部材６Ａ〜６Ｆは、対象となる発熱体と観察者ＵＳとの間に配置されるとした。このような発熱体は、これら画像形成装置３１１，３１４、制御部２３、撮像部７及びバッテリーＢＴに限らない。例えば、虚像表示装置を構成し、当該虚像表示装置の使用時に発熱するものであれば、どのようなものでもよい。例えば、動作制御等に用いられるＣＰＵ（Central Processing Unit）等の演算処理回路、画像処理等に用いられるやＧＰＵ（Graphics Processing Unit）等の画像処理回路、及び、信号処理等に用いられる信号処理回路等の半導体素子も発熱体に含まれる。この他、上記画像形成装置３１１の光源装置３１１１に代えて採用可能な有機ＥＬパネル等の自己発光型表示パネルや、レーザー光を出射するレーザー光源（ＬＤ（Laser Diode）等の固体光源）等の各種光源も発熱体に含まれる。更に、画像形成装置が、後述するようにＭＥＭＳ（Micro Electro Mechanical System）ミラー等のマイクロミラーを用いたデバイスを有する構成である場合には、当該デバイスも発熱体に含まれる。すなわち、断熱部材によって観察者ＵＳと隔てられる発熱体は、どのようなものでもよい。
【０１２８】
断熱部材６Ａは、カバー部材３５において観察者ＵＳ側の側面部を構成する第１カバー部材３５１の内面３５１Ａ及び外面３５１Ｂの少なくともいずれかに設けられるとし、断熱部材６Ｃは、外装ケース２１において観察者ＵＳ側の側面部を構成する内側側面部２１１の内面及び外面の少なくともいずれかに設けられるとした。しかしながら、本発明はこれに限らない。すなわち、これら断熱部材６Ａ，６Ｃが、発熱体と、当該発熱体を内部に収容する収容体における観察者ＵＳ側の側面部との間に配置されている場合には、当該断熱部材の配置位置及び配置構造は問わない。このため、断熱部材６Ａ，６Ｃが、内面３５１Ａや内側側面部２１１の内面と接していなくてもよい。
また、断熱部材６Ｅは、装着部材３７における観察者ＵＳ側の面に設けられるとした。しかしながら、これに限らず、収容部３７１内において、バッテリーＢＴに対する観察者ＵＳ側の位置に配置されていてもよい。
【０１２９】
断熱部材６Ａ，６Ｃは、シート状の断熱材により構成されるとした。しかしながら、これに限らず、本発明を構成する断熱部材は、当該シート状の断熱材を複数重ねた構造を有していてもよく、当該シート状の断熱部材を互いに離間させた状態で複数重ねた構造を有していてもよく、更には、シート状の断熱材が折り曲げられて重ねられた構造を有していてもよい。この他、断熱部材は、シート状の断熱材が複数重ねられた際に形成される隙間や、シート状の断熱材が折り曲げられて重ねられた際に形成される隙間に、他の断熱材が充填された構造を有していてもよく、互いに重ねられる断熱材の組成がそれぞれ異なっていてもよい。このように断熱部材を構成することにより、観察者ＵＳ側に伝導される熱伝導経路の熱抵抗を高めることができるので、観察者ＵＳ側への熱伝導を一層抑制でき、当該観察者ＵＳが熱を感じにくくすることができる。
【０１３０】
断熱部材６Ａ，６Ｃは、発熱体である画像形成装置３１１，３１４及び制御部２３における観察者ＵＳ側の面だけでなく、これら発熱体の上下（Ｙ方向側及びＹ方向とは反対方向側）を覆うように、略Ｕ字状に形成されるとした。同様に、断熱部材６Ｂ，６Ｄも、発熱体を覆うように充填された断熱材により形成されるとした。しかしながら、これに限らず、断熱部材は、発熱体を囲まなくてもよい。また、熱伝導部材５等によって、発熱体の熱を外部に伝導させることができれば、当該発熱体を完全に囲ってしまってもよい。
【０１３１】
断熱部材６Ａ，６Ｂが設けられる収容体としてのカバー部材３４，３５内には、発熱体である画像形成装置３１１，３１４の熱を当該カバー部材３４，３５の外部に伝導する熱伝導部材５を含んで構成される熱伝導経路が形成されているとした。しかしながら、これに限らず、発熱体が熱に強く構成である場合等、当該発熱体の温度上昇を抑制する必要がそれほど高くない場合には、当該熱伝導経路はなくてもよい。また、上記バッテリーＢＴの装着部材３７への取付と同様に、発熱体を内部に収容する収容体は、必ずしもなくてもよい。
【０１３２】
保持部材３２は、フレーム３３と、カバー部材３４又はカバー部材３５と、を有し、保持部材３２Ｃは、フレーム３３Ｃと、カバー部材３４又はカバー部材３５と、装着部材３６とを有するとした。そして、収容体としてのカバー部材３４（３４Ｌ，３４Ｒ）は、それぞれ、観察者ＵＳ側に位置する第１カバー部材３４１と、観察者ＵＳ側とは反対側に位置する第２カバー部材３４２と、を有し、同じく収容体としてのカバー部材３５（３５Ｌ，３５Ｒ）は、それぞれ、観察者ＵＳ側に位置する第１カバー部材３５１と、観察者ＵＳ側とは反対側に位置する第２カバー部材３５２と、を有するとした。このような保持部材３２，３２Ｃにおいて、第１カバー部材３４１（第１収容部）及び第２カバー部材３４２（第２収容部）のうち一方が、フレーム３３，３３Ｃと一体化されていてもよく、第１カバー部材３５１（第１収容部）及び第２カバー部材３５２（第２収容部）のうち一方が、フレーム３３，３３Ｃと一体化されていてもよい。これらのうち、発熱体の熱がフレーム及び第２カバー部材の少なくともいずれか一方に伝導される場合には、観察者ＵＳ側に位置し、かつ、別体として構成された第１カバー部材に当該熱が伝導されにくくなる。このため、観察者ＵＳが第１カバー部材から熱を感じにくくすることができるとともに、保持部材の構成を簡略化できる。
【０１３３】
虚像表示装置１，１Ａ〜１Ｉは、コントローラーを介してＰＣ等の画像供給装置に接続されてもよく、コントローラーを介さずに当該画像供給装置に直接接続されてもよい。このような構成において、虚像表示装置１，１Ａ〜１Ｉは、画像供給装置における画像表示部分として用いられ、虚像表示装置１の各種動作は、画像供給装置によって制御される構成としてもよい。なお、この場合、画像供給装置が、虚像表示装置１，１Ａ〜１Ｉを駆動させる電力を供給してもよい。
また、虚像表示装置１Ｉのように、虚像表示装置（例えば、ヘッドバンド部２や表示部３，３Ａ，３Ｃ〜３Ｆ）はバッテリーや、画像処理装置等の処理回路を備えていてもよく、更に、メモリーカード等のスロットを備えていてもよい。更に、虚像表示装置に、観察者ＵＳの操作を受け付ける操作部を設けてもよく、タップ操作を検出可能な構成を設けてもよい。すなわち、コントローラーは無くてもよい。
【０１３４】
光変調装置３１１２は、透過型の液晶パネルにより構成されるとした。しかしながら、本発明はこれに限らない。例えば、光変調装置３１１２は、反射型の液晶パネルにより構成されてもよく、ＭＥＭＳミラー等のマイクロミラーを用いたデバイスにより構成されていてもよい。
また、導光部材３１３は、半透過層を備え、画像形成装置３１１，３１４から出射されて当該半透過層にて内面反射された画像光が眼に入射されることにより、観察者ＵＳが虚像を視認できる構成とした。しかしながら、本発明は、これに限らない。例えば、導光部材内の上記画像が内面反射する位置に反射層を設ける構成としてもよいし、画像形成装置３１１，３１４及び投射レンズ３１２を介して出力された画像が直接観察者ＵＳの眼に入射する構成であってもよい。すなわち、導光部材は、投射レンズ３１２から出力された画像光を観察者ＵＳの眼に導ければ、どのような構成であってもよい。
【０１３５】
本発明の画像表示装置としての虚像表示装置１，１Ａ〜１Ｊは、シースルー型の虚像表示装置として構成されていた。しかしながら、本発明はこれに限らない。すなわち、外界を観察できない非透過型の画像表示装置や、外界を撮像する撮像素子による撮像画像を表示するビデオシースルー型の画像表示装置に対しても、本発明を適用できる。
【０１３６】
本発明の画像表示装置としての虚像表示装置１，１Ａ〜１Ｊは、観察者ＵＳに虚像として視認される画像を表示する表示装置であった。しかしながら、本発明はこれに限らない。例えば、観察者ＵＳに対して画像を視認させる装置であれば、本発明を適用可能である。例えば、観察者の両眼に応じた位置に、液晶パネルや有機ＥＬ（Electro-Luminescence）パネル等が配置され、これによって実像を視認させる構成としてもよい。
また、レーザー網膜投影型のＨＭＤに対して本発明を適用することも可能である。例えば、表示部３が、レーザー光源と、レーザー光源を使用者の眼に導く光学系とを備え、レーザー光を使用者の眼に入射させて網膜上を走査し、網膜に結像させることにより、使用者に画像を視認させるＨＭＤに、本発明を適用してもよい。
【０１３７】
上記虚像表示装置１，１Ａ〜１Ｊに記載された各構成は、互いに組み合わせてもよい。例えば、収容体としてのカバー部材３４，３５に断熱部材６Ａ，６Ｂのそれぞれを採用してもよく、収容体としての外装ケース２１に断熱部材６Ｃ，６Ｄのそれぞれを採用してもよい。更に、断熱部材６Ａ，６Ｂの少なくともいずれかが設けられたカバー部材３４，３５を有する表示部と、断熱部材６Ｃ，６Ｄの少なくともいずれかが設けられた外装ケース２１を有するヘッドバンド部と、を備えた虚像表示装置を構成してもよい。
【符号の説明】
【０１３８】
１，１Ａ〜１Ｊ…虚像表示装置（画像表示装置、頭部装着型画像表示装置）、２…ヘッドバンド部（装着部）、３，３Ａ，３Ｃ〜３Ｆ…表示部、４（４Ｌ，４Ｒ）…アーム部（接続部）、５…熱伝導部材、６Ａ〜６Ｆ…断熱部材、２１…外装ケース（収容体）、２３…制御部（発熱体）、２７（２７Ｌ，２７Ｒ）…放熱部材、３１（３１Ｌ，３１Ｒ）…光学装置（表示部）、３２，３２Ｃ…保持部材、３３，３３Ｃ…フレーム（保持部材）、３４（３４Ｌ，３４Ｒ），３５（３５Ｌ，３５Ｒ）…カバー部材（保持部材、収容体）、３６（３６Ｌ，３６Ｒ），３７（３７Ｌ，３７Ｒ）…装着部材、３１１，３１４…画像形成装置（発熱体）、３１２…投射レンズ（投射光学装置）、３１３（３１３Ｌ，３１３Ｒ）…導光部材、３１５…反射部材、３１１１…光源装置、３１１２…光変調装置、３１１３…固定部材、３４１，３５１…第１カバー部材（保持部材、観察者側の側面部、第１収容部）、３４２，３５２…第２カバー部材（保持部材、外側側面部、第２収容部）、３５１１…側部、３５２１…側部、３５１Ａ…内面、ＳＦ…面、ＵＳ…観察者。
【図１】
0006753046.tif 000002
【図２】
0006753046.tif 000003
【図３】
0006753046.tif 000004
【図４】
0006753046.tif 000005
【図５】
0006753046.tif 000006
【図６】
0006753046.tif 000007
【図７】
0006753046.tif 000008
【図８】
0006753046.tif 000009
【図９】
0006753046.tif 000010
【図１０】
0006753046.tif 000011
【図１１】
0006753046.tif 000012
【図１２】
0006753046.tif 000013
【図１３】
0006753046.tif 000014
【図１４】
0006753046.tif 000015
【図１５】
0006753046.tif 000016
【図１６】
0006753046.tif 000017
【図１７】
0006753046.tif 000018
【図１８】
0006753046.tif 000019